(57)【要約】  本出願の実施形態は、システムDCI構成の低柔軟性および低信頼性の問題を解決するために、ダウンリンク制御情報を送信するための方法、端末デバイス、およびネットワークデバイスを提供し、通信分野に関する。この方法は、ダウンリンク制御情報DCIを受信するステップであり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、ステップと、指示情報に基づいて、ダウンリンクデータ送信中にネットワークデバイスによって使用される層の数量、アンテナポート、およびスクランブリングアイデンティティのうちの少なくとも1つを決定するステップとを含む。本出願の実施形態は、ダウンリンク制御情報DCIを短縮送信時間間隔sTTIシステムで送信するために使用される。
2021503838.tif 000002
【特許請求の範囲】
【請求項１】
ダウンリンク制御情報を送信するための方法であって、
ダウンリンク制御情報DCIを受信するステップであり、前記DCIは指示情報を含み、前記指示情報は、ダウンリンクデータ送信中にネットワークデバイスによって使用される層の数量、アンテナポート、およびスクランブリングアイデンティティのうちの少なくとも1つを示すために使用される、ステップと、
前記指示情報に基づいて、ダウンリンクデータ送信中に前記ネットワークデバイスによって使用される前記層の数量、前記アンテナポート、および前記スクランブリングアイデンティティのうちの前記少なくとも1つを決定するステップと
を含む方法。
【請求項２】
ダウンリンク制御情報を送信するための方法であって、
ダウンリンク制御情報DCIを生成するステップであり、前記DCIは指示情報を含み、前記指示情報は、ダウンリンクデータ送信中にネットワークデバイスによって使用される層の数量、アンテナポート、およびスクランブリングアイデンティティのうちの少なくとも1つを示すために使用される、ステップと、
前記DCIを送信するステップと
を含む方法。
【請求項３】
ダウンリンク制御情報DCIを受信するように構成された受信機であり、前記DCIは指示情報を含み、前記指示情報は、ダウンリンクデータ送信中にネットワークデバイスによって使用される層の数量、アンテナポート、およびスクランブリングアイデンティティのうちの少なくとも1つを示すために使用される、受信機と、
前記指示情報に基づいて、ダウンリンクデータ送信中に前記ネットワークデバイスによって使用される前記層の数量、前記アンテナポート、および前記スクランブリングアイデンティティのうちの前記少なくとも1つを決定するように構成されたプロセッサと
を含む端末デバイス。
【請求項４】
ダウンリンク制御情報DCIを生成するように構成されたプロセッサであり、前記DCIは指示情報を含み、前記指示情報は、ダウンリンクデータ送信中に前記ネットワークデバイスによって使用される層の数量、アンテナポート、およびスクランブリングアイデンティティのうちの少なくとも1つを示すために使用される、プロセッサと、
前記DCIを送信するように構成された送信機と
を含むネットワークデバイス。
【請求項５】
前記ダウンリンクデータ送信ではコードワードが1つのみ存在し、前記指示情報は、スキームmまたはスキームnを示し、前記スキームmおよび前記スキームnの各々における前記層の数量は2であり、前記スキームmの前記アンテナポートと前記スキームnの前記アンテナポートとは異なる、請求項1または2に記載の方法、または請求項3に記載の端末デバイス、または請求項4に記載のネットワークデバイス。
【請求項６】
前記指示情報の指示範囲は、少なくとも以下の7つのスキームを含み、
第1のスキームでは、前記層の数量は1、前記アンテナポートはxであり、
第2のスキームでは、前記層の数量は1、前記アンテナポートはyであり、
第3のスキームでは、前記層の数量は2、前記アンテナポートはxおよびyであり、
第4のスキームでは、前記層の数量は2、前記アンテナポートはxおよびzであり、
第5のスキームでは、前記層の数量は2、前記アンテナポートはyおよびwであり、
第6のスキームでは、前記層の数量は3、前記アンテナポートはx、y、およびzであり、
第7のスキームでは、前記層の数量は4、前記アンテナポートはx、y、z、およびwであり、
前記スキームmは、前記第4のスキームにおける前記層の数量および前記アンテナポートを含み、前記スキームnは、前記第5のスキームにおける前記層の数量および前記アンテナポートを含む、
請求項5に記載の方法、または端末デバイス、またはネットワークデバイス。
【請求項７】
前記指示情報によって占有されるビットの量は、1以上3未満であり、前記指示情報は、前記層の数量が第1の層の数量または第2の層の数量であり、前記第1の層の数量と前記第2の層の数量とは等しくないことを示す、請求項1または2に記載の方法、または請求項3に記載の端末デバイス、または請求項4に記載のネットワークデバイス。
【請求項８】
前記指示情報の指示範囲は、最大4つのスキームを含むが、以下のスキームのうちの少なくとも2つのスキームを含み、
第1のスキームでは、前記層の数量は1、前記アンテナポートはxであり、
第2のスキームでは、前記層の数量は2、前記アンテナポートはxおよびyであり、
第3のスキームでは、前記層の数量は3、前記アンテナポートはx、y、およびzであり、
第4のスキームでは、前記層の数量は4、前記アンテナポートはx、y、z、およびwであり、
前記第1の層の数量と前記第2の層の数量とが等しくないとき、前記第1の層の数量および前記第2の層の数量は各々、前記4つのスキームのうちのいずれか1つの層の数量である、
請求項7に記載の方法、または端末デバイス、またはネットワークデバイス。
【請求項９】
前記端末デバイスの1つのコードワードのみが有効な状態にあるとき、前記指示情報は、スキームpまたはスキームqを示し、前記スキームpと前記スキームqの各々の前記層の数量は1であり、前記スキームpの前記スクランブリングアイデンティティと前記スキームqの前記スクランブリングアイデンティティとは異なり、または、前記指示情報は、スキームrもしくはスキームsを示し、前記スキームrと前記スキームsの各々の前記層の数量は2であり、前記スキームrの前記スクランブリングアイデンティティと前記スキームsの前記スクランブリングアイデンティティとは異なる、請求項1または2に記載の方法、または請求項3に記載の端末デバイス、または請求項4に記載のネットワークデバイス。
【請求項１０】
前記指示情報の指示範囲は、少なくとも以下の8つのスキームを含み、
第1のスキームでは、前記層の数量は1、前記アンテナポートはx、前記スクランブリングアイデンティティは0であり、
第2のスキームでは、前記層の数量は1、前記アンテナポートはx、前記スクランブリングアイデンティティは1であり、
第3のスキームでは、前記層の数量は1、前記アンテナポートはy、前記スクランブリングアイデンティティは0であり、
第4のスキームでは、前記層の数量は1、前記アンテナポートはy、前記スクランブリングアイデンティティは1であり、
第5のスキームでは、前記層の数量は2、前記アンテナポートはxおよびy、前記スクランブリングアイデンティティは0であり、
第6のスキームでは、前記層の数量は2、前記アンテナポートはxおよびy、前記スクランブリングアイデンティティは1であり、
第7のスキームでは、前記層の数量は3、前記アンテナポートはx、y、およびzであり、
第8のスキームでは、前記層の数量は4、前記アンテナポートはx、y、z、およびwであり、
前記スキームpは、前記第1のスキームにおける前記層の数量、前記アンテナポート、および前記スクランブリングアイデンティティを含み、前記スキームqは、前記第2のスキームまたは前記第4のスキームにおける前記層の数量、前記アンテナポート、および前記スクランブリングアイデンティティを含む、あるいは、前記スキームpは、前記第2のスキームにおける前記層の数量、前記アンテナポート、および前記スクランブリングアイデンティティを含み、前記スキームqは、前記第1のスキームまたは前記第3のスキームにおける前記層の数量、前記アンテナポート、および前記スクランブリングアイデンティティを含み、
前記スキームrは、前記第5のスキームにおける前記層の数量、前記アンテナポート、および前記スクランブリングアイデンティティを含み、前記スキームsは、前記第6のスキームにおける前記層の数量、前記アンテナポート、および前記スクランブリングアイデンティティを含む、
請求項9に記載の方法、または端末デバイス、またはネットワークデバイス。
【請求項１１】
メモリを含む通信装置であって、前記メモリは、コンピュータ命令を記憶し、前記コンピュータ命令が実行されると、前記通信装置は、請求項1もしくは請求項2、または請求項5から請求項10のいずれか一項に記載の方法を実行する、通信装置。
【請求項１２】
コンピュータ記憶媒体であって、前記コンピュータ記憶媒体がコンピュータ命令を記憶し、前記コンピュータ命令がコンピュータによって実行されると、前記コンピュータは、請求項1もしくは請求項2、または請求項5から10のいずれか一項に記載の方法を実行する、コンピュータ記憶媒体。
【発明の詳細な説明】
【技術分野】
【０００１】
本出願は、2017年11月17日に中国特許庁に出願され、「METHOD FOR SENDING DOWNLINK CONTROL INFORMATION, TERMINAL DEVICE, AND NETWORK DEVICE」という名称の中国特許出願第PCT/CN2017/111753号の優先権を主張するものであり、その全体は参照により本明細書に組み込まれる。
【０００２】
本出願は、通信分野に関し、詳細には、ダウンリンク制御情報を送信するための方法、端末デバイス、およびネットワークデバイスに関する。
【背景技術】
【０００３】
ロングタームエボリューション(Long Term Evolution、LTE)システムでは、多入力多出力(Multi-Input Multi-Output、MIMO)技術を使用することによって、データ送信レートを数倍に増加させることができる。送信機と受信機の両方において複数のアンテナを使用して複数の並列送信チャネルが確立され、したがって、電力効率を低下させることなく帯域利用を向上させることができる。各アンテナポートは、1つの基準信号(Reference Signal、RS)を送信することができる。ユーザ機器(User Equipment、UE)は、アンテナポート上で送信されたデータの復調のために、RSに基づいて、対応するアンテナポートのチャネル推定値を取得してもよい。各アンテナポートは、RSを送信するために使用されるリソース要素(Resource Element、RE)のグループに対応する。送信機は、トランスポートブロック(Transport Block、TB)のデータに対してチャネルコーディングやレートマッチングなどの演算を実行した後、コードワードを取得する。スクランブリング、変調、レイヤマッピング、変換プリコーディング、およびプリコーディングの後、1つまたは複数のサブフレームでのデータ送信のために、コードワードが物理リソースにマッピングされる。プリコーディングは、プリコーディング行列を使用することによってトランスポート層をアンテナポートにマッピングするプロセスである。
【０００４】
複数のトランスポート層のダウンリンク送信をサポートするために、LTEでは送信モード(Transmission Mode、TM)9が導入されており、最大8つのトランスポート層(layer)および最大8つのアンテナポート(port)のダウンリンク送信がサポートされている。送信層の数量は動的に変化する可能性があるので、送信されるUE固有の基準信号の量もそれに応じて変化する。したがって、UE固有の基準信号の構造は動的に変化する。基地局(Evolved NodeB、eNB)は、UEが現在のサブフレームで使用されているUE固有の基準信号の構造を学習し、PDSCUがどのようにUEにマッピングされているかを学習するように、対応するダウンリンク制御情報(Downlink Control Information、DCI)の送信層の数量をUEに通知する必要がある。具体的には、基地局は、DCIフォーマット2Cで、マルチレイヤ伝送によって必要とされる動的情報を送信してもよく、動的情報は、アンテナポート、スクランブリングアイデンティティ(Scrambling Identity、SCID)、および送信層の数量の指示情報を含む。複数のあらかじめ定義されたテーブルが、受信端と送信端の両方に記憶されている。基地局は、上位層シグナリングを使用して、UEが検索すべきテーブルを示し、次いで、DCIで搬送される1〜4ビットを使用して、テーブル内の特定のパラメータのグループを示し得る。理解できるように、複数のトランスポート層のダウンリンク伝送品質は、アンテナポート、スクランブリングコードID、および送信層の数量の指示情報のテーブルに依存する。現在、LTEシステムでは、表1、表2、表3に示されるように、様々なシナリオのために合計3つのテーブルが設計されている。
【０００５】
【表１】
2021503838.tif 000003
【０００６】
【表２】
2021503838.tif 000004
【０００７】
【表３】
2021503838.tif 000005
【０００８】
LTEのTM9では、最大8個のアンテナポートがサポートされている。しかしながら、実際には、たとえば、LTEによってサポートされている短縮送信時間間隔(short Transmission Time Interval、sTTI)システムなど、すべてのシステムがそのような大量のアンテナポートをサポートしているわけではない。この場合、表1および表2の大量の値は、sTTIシステムによってサポートされていない。言い換えれば、非8のアンテナポートシステムの場合、表1および表2には冗長なシナリオが存在し、結果として、アンテナポート、スクランブリングコードID、および送信層の数量の指示情報が過剰なビットを占有する。さらに、不要な情報がDCIで搬送され、結果として、DCIの柔軟性や信頼性が低下する。
【発明の概要】
【課題を解決するための手段】
【０００９】
本出願の実施形態は、システムDCI構成の低柔軟性および低信頼性の問題を解決するために、ダウンリンク制御情報を送信するための方法、端末デバイス、およびネットワークデバイスを提供する。
【００１０】
第1の態様によれば、ダウンリンク制御情報を送信するための方法が提供され、方法は、ダウンリンク制御情報DCIを受信するステップであり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、ステップと、指示情報に基づいて、ダウンリンクデータ送信中にネットワークデバイスによって使用される層の数量、アンテナポート、およびスクランブリングアイデンティティのうちの少なくとも1つを決定するステップとを含む。端末デバイスは、DCIを受信し得る。たとえば、端末デバイスは、UEであってもよい。ネットワークデバイスおよび端末デバイスは、指示情報と、層の数量、アンテナポート、およびスクランブリングアイデンティティのうちの少なくとも1つとの間の対応表を記憶する。端末デバイスが指示情報を受信すると、端末デバイスは、指示情報に基づいて、ダウンリンク送信中にネットワークデバイスによって使用される層の数量、アンテナポート、およびスクランブリングアイデンティティのうちの少なくとも1つを決定し得る。各アンテナポートは、1つの基準信号を送信する。端末デバイスは、アンテナポート上で送信されるデータを復調するために、基準信号に基づいてアンテナポートのチャネル推定値を取得してもよい。本出願の本実施形態では、ネットワークデバイスおよび端末デバイスに記憶されたテーブルは、本出願において新たに構成されたテーブルであってもよい。新たに構成されたテーブルは、新たに追加されたスキームを含む。既存のテーブルと比較して、本出願において新たに構成されたテーブルは、より柔軟性が高く、DCI送信の信頼性およびシステム伝送効率を向上させることができる。
【００１１】
第2の態様によれば、ダウンリンク制御情報を送信するための方法が提供され、方法は、ダウンリンク制御情報DCIを生成するステップであり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、ステップと、DCIを送信するステップとを含む。
【００１２】
第3の態様によれば、端末デバイスが提供され、ダウンリンク制御情報DCIを受信するように構成された受信機であり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、受信機と、指示情報に基づいて、ダウンリンクデータ送信中にネットワークデバイスによって使用される層の数量、アンテナポート、およびスクランブリングアイデンティティのうちの少なくとも1つを決定するように構成されたプロセッサとを含む。
【００１３】
第4の態様によれば、ネットワークデバイスが提供され、ダウンリンク制御情報DCIを生成するように構成されたプロセッサであり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、プロセッサと、DCIを送信するように構成された送信機とを含む。
【００１４】
第1の態様から第4の態様において:
【００１５】
可能な設計では、ダウンリンクデータ送信ではコードワードが1つのみ存在し、指示情報は、スキームmまたはスキームnを示し、スキームmおよびスキームnの各々における層の数量は2であり、スキームmのアンテナポートとスキームnのアンテナポートとは異なる。既存の表1、表2、および表3では、1つのコードワードのみが有効なとき、層の数量が2である場合、対応するアンテナポートの数量について1つの可能性がある。しかしながら、本出願で構成された解決策では、層の数量が2であるとき、異なるスキームでアンテナポートが異なる。各アンテナポートリソースの使用中の端末デバイスの伝送効率はまったく同じというわけではないので、基地局は、アンテナポートリソースをUEにより柔軟に示すことができる。このようにして、基地局は、伝送効率の最も高いアンテナポートリソースを選択してUEにサービスを提供することができ、それによって、システムの伝送効率を向上させることができる。
【００１６】
可能な設計では、指示情報の指示範囲は、少なくとも以下の7つのスキームを含み、第1のスキームでは、層の数量は1、アンテナポートはxであり、第2のスキームでは、層の数量は1、アンテナポートはyであり、第3のスキームでは、層の数量は2、アンテナポートはxおよびyであり、第4のスキームでは、層の数量は2、アンテナポートはxおよびzであり、第5のスキームでは、層の数量は2、アンテナポートはyおよびwであり、第6のスキームでは、層の数量は3、アンテナポートはx、y、およびzであり、第7のスキームでは、層の数量は4、アンテナポートはx、y、z、およびwであり、ここで、スキームmは、第4のスキームにおける層の数量およびアンテナポートを含み、スキームnは、第5のスキームにおける層の数量およびアンテナポートを含む。既存のテーブルと比較して、7つのスキームを含む新たに構成されたテーブルでは、sTTIシステムではサポートされていない可能性のある指示情報、およびその指示情報に対応するスキームが削除され、第4のスキームおよび第5のスキームが追加される。基地局では、基地局のためのオプションのアンテナポートが増加し、基地局は、UEにサービスを提供するために、伝送効率の最も高いアンテナポートリソースを選択し、それによって、システムの伝送効率を向上させることができる。
【００１７】
可能な設計では、指示情報によって占有されるビットの量は、1以上3未満であり、指示情報は、層の数量が第1の層の数量または第2の層の数量であり、第1の層の数量と第2の層の数量とは等しくないことを示す。既存の表1および表2と比較して、この設計では、新たに構成されたテーブルでは、指示情報は、減少したビットの量を占有し、DCIのシグナリングオーバーヘッドは低減し、異なるスキームは、異なる層の数量に対応してもよい。
【００１８】
可能な設計では、指示情報の指示範囲は、最大4つのスキームを含むが、以下のスキームのうちの少なくとも2つのスキームを含み、第1のスキームでは、層の数量は1、アンテナポートはxであり、第2のスキームでは、層の数量は2、アンテナポートはxおよびyであり、第3のスキームでは、層の数量は3、アンテナポートはx、y、およびzであり、第4のスキームでは、層の数量は4、アンテナポートはx、y、z、およびwであり、第1の層の数量と第2の層の数量とが等しくないとき、第1の層の数量および第2の層の数量は各々、4つのスキームのうちのいずれか1つの層の数量である。既存の表1および表2と比較して、この設計では、4つのスキームは、層の数量およびアンテナポートの数量の組合せを合計4つ含み、4つのスキームにおいて新たに構成されたテーブルは、最大2ビットの指示情報を必要とする。PDCCHでDCIを搬送するためのビットの量が低減されると同時に、DCIのシグナリングオーバーヘッドが低減される。この場合、PDCCHにおけるより多くのビットは、符号化された冗長ビットである。冗長ビットの量が多いほど、DCIの送信の信頼性が高いことを示している。表3のスキームでは、対応する層の数量は2のみである。既存の表3と比較して、本設計では、層の数量は1〜4を含む。ネットワークデバイスでは、ネットワークデバイスは、指示情報を使用して、データ送信中に使用される層の数量をUEにより柔軟に示すことができる。異なる層の数量を使用することによるデータ送信中のUEの伝送効率はまったく同じというわけではないので、基地局は、システムの伝送効率を向上させるために、UEにサービスを提供するために、伝送効率の最も高いデータ送信のために層の数量を選択してもよい。
【００１９】
可能な設計では、端末デバイスの1つのコードワードのみが有効な状態にあるとき、指示情報は、スキームpまたはスキームqを示し、スキームpおよびスキームqの各々の層の数量は1であり、スキームpでのスクランブリングアイデンティティとスキームqでのスクランブリングアイデンティティとは異なり、または、指示情報は、スキームrまたはスキームsを示し、スキームrおよびスキームsの各々の層の数量は2であり、スキームrでのスクランブリングアイデンティティとスキームsでのスクランブリングアイデンティティとは異なる。この設計では、ネットワークデバイスおよび端末デバイスのマルチユーザスケジューリングの場合に、テーブルが構成され得る。テーブルでは、異なるスクランブリングコードが複数のユーザに示されている間、データ送信のための層の数量を端末デバイスにより柔軟に示すことができ、したがって、端末デバイスは、マルチユーザ多入力多出力シナリオをサポートすることができる。
【００２０】
可能な設計では、指示情報の指示範囲は、少なくとも以下の8つのスキームを含み、第1のスキームでは、層の数量は1、アンテナポートはx、スクランブリングアイデンティティは0であり、第2のスキームでは、層の数量は1、アンテナポートはx、スクランブリングアイデンティティは1であり、第3のスキームでは、層の数量は1、アンテナポートはy、スクランブリングアイデンティティは0であり、第4のスキームでは、層の数量は1、アンテナポートはy、スクランブリングアイデンティティは1であり、第5のスキームでは、層の数量は2、アンテナポートはxおよびy、スクランブリングアイデンティティは0であり、第6のスキームでは、層の数量は2、アンテナポートはxおよびy、スクランブリングアイデンティティは1であり、第7のスキームでは、層の数量は3、アンテナポートはx、y、およびzであり、第8のスキームでは、層の数量は4、アンテナポートはx、y、z、およびwであり、スキームpは、第1のスキームでの層の数量、アンテナポート、およびスクランブリングアイデンティティを含み、スキームqは、第2のスキームまたは第4のスキームでの層の数量、アンテナポート、およびスクランブリングアイデンティティを含む、あるいは、スキームpは、第2のスキームでの層の数量、アンテナポート、およびスクランブリングアイデンティティを含み、スキームqは、第1のスキームまたは第3のスキームでの層の数量、アンテナポート、およびスクランブリングアイデンティティを含み、スキームrは、第5のスキームでの層の数量、アンテナポート、およびスクランブリングアイデンティティを含み、スキームsは、第6のスキームでの層の数量、アンテナポート、およびスクランブリングアイデンティティを含む。この設計では、ネットワークデバイスがマルチユーザスケジューリングを行うとき、異なる端末デバイスに示されるデータ送信のための層の数量が異なる場合があり、異なる端末デバイスに異なるスクランブリングアイデンティティが示される。異なる層の数量でのデータ送信中の端末デバイスの伝送効率はまったく同じというわけではないので、基地局は、データ送信のための層の数量をより柔軟に示すことができる。この場合、基地局は、システムの伝送効率を向上させるために、端末デバイスにサービスを提供するために、伝送効率の最も高いデータ送信のために層の数量を選択してもよい。
【００２１】
第5の態様によれば、ダウンリンク制御情報を送信するための方法が提供され、方法は、ダウンリンク制御情報DCIを受信するステップであり、DCIは指示情報を含み、指示情報は、ダウンリンクデータ送信中にネットワークデバイスによって使用される周波数領域リソースを示すために使用される、ステップと、指示情報に基づいて、ダウンリンクデータ送信中にネットワークデバイスによって使用される周波数領域リソースを決定するステップとを含む。端末デバイスは、DCIを受信し得る。たとえば、端末デバイスは、UEであってもよい。ネットワークデバイスおよび端末デバイスは、指示情報と使用された周波数領域リソースとの間の対応関係を記憶する。端末デバイスが指示情報を受信すると、端末デバイスは、指示情報に基づいて、ダウンリンク送信中にネットワークデバイスによって使用される周波数領域リソースを決定し得る。端末デバイスは、指示情報に対応する周波数領域リソース上でダウンリンクデータを受信してもよい。本出願の本実施形態では、ネットワークデバイスおよび端末デバイスに記憶された対応関係は、本出願において新たに構成された計算式であってもよい。既存のテーブルと比較して、本出願において新たに構成された計算式は、より柔軟性が高く、システムリソースの利用効率を向上させることができる。
【００２２】
第6の態様によれば、ダウンリンク制御情報を送信するための方法が提供され、方法は、ダウンリンク制御情報DCIを生成するステップであり、DCIは指示情報を含み、指示情報は、ダウンリンクデータ送信中にネットワークデバイスによって使用される周波数領域リソースを示すために使用される、ステップと、DCIを送信するステップとを含む。
【００２３】
第7の態様によれば、端末デバイスが提供され、ダウンリンク制御情報DCIを受信するように構成された受信機であり、DCIは指示情報を含み、指示情報は、ダウンリンクデータ送信中にネットワークデバイスによって使用される周波数領域リソースを示すために使用される、受信機と、指示情報に基づいて、ダウンリンクデータ送信中にネットワークデバイスによって使用される周波数領域リソースを決定するように構成されたプロセッサとを含む。
【００２４】
第8の態様によれば、ネットワークデバイスが提供され、ダウンリンク制御情報DCIを生成するように構成されたプロセッサであり、DCIは指示情報を含み、指示情報は、ダウンリンクデータ送信中にネットワークデバイスによって使用される周波数領域リソースを示すために使用される、プロセッサと、DCIを送信するように構成された送信機とを含む。
【００２５】
第5の態様から第8の態様において:
【００２６】
可能な設計では、リソースインジケータ値RIVに対応する指示情報は6ビット情報であり、指示情報の指示範囲は64のスキームを含み、リソースインジケータ値RIVの値範囲は0〜63である。RIVの値が11m+nであるとき(式中、mは0以上5以下であり、nは0以上10以下であり、mが5に等しいとき、nは9および10に等しくない)、ダウンリンクデータ送信中にネットワークデバイスによって使用され、指示情報によって示される周波数領域リソースは、m+1の短いリソースブロック群SRBGである。各SRBGは、4つまたは5つの仮想リソースブロックVRBまたは物理リソースブロックPRBを含み、開始位置に対応するVRBまたはPRBインデックスは、2*nである。
【００２７】
可能な設計では、リソースインジケータ値RIVの計算式は以下の通りである。
RIV=11*(L-1)+RBstart/2
式中、RBstartは、基地局によってUEに割り振られた周波数リソースの開始VRBまたは開始PRBのインデックスであり、インデックスは2*nに等しく、Lは割り振られた連続するSRBGの量であり、L=m+1である。
【００２８】
可能な設計では、リソースインジケータ値RIVに対応する指示情報は6ビット情報であり、指示情報の指示範囲は64のスキームを含み、リソースインジケータ値RIVの値範囲は0〜63である。RIVの値が6m+nであるとき(式中、mは0以上10以下であり、nは0以上5以下であり、mが10に等しいとき、nは4および5に等しくない)、ダウンリンクデータ送信中にネットワークデバイスによって使用され、指示情報によって示される周波数領域リソースは、n+1の短いリソースブロック群SRBGである。各SRBGは、4つまたは5つの仮想リソースブロックVRBまたは物理リソースブロックPRBを含み、開始位置に対応するVRBまたはPRBインデックスは、2*mである。
【００２９】
可能な設計では、リソースインジケータ値RIVの計算式は以下の通りである。
RIV=3*RBstart+L-1
式中、RBstartは、基地局によってUEに割り振られた周波数リソースの開始VRBまたはPRBの開始のインデックスであり、インデックスは2*nに等しく、Lは割り振られた連続するSRBGの量であり、L=n+1である。
【００３０】
第9の態様によれば、本出願の一実施形態は、上記ネットワークデバイスおよび/または端末デバイスによって使用されるコンピュータソフトウェア命令を記憶するように構成されたコンピュータ記憶媒体を提供する。コンピュータソフトウェア命令は、第1の態様、第2の態様、第5の態様、および第6の態様のうちの少なくとも1つを実行するために設計されたプログラムを含む。
【００３１】
第10の態様によれば、本出願の一実施形態は、命令を含むコンピュータプログラム製品を提供し、コンピュータプログラム製品がコンピュータ上で実行されると、コンピュータは、第1の態様、第2の態様、第5の態様、および第6の態様のうちの少なくとも1つによる方法を実行する。
【００３２】
本出願の実施形態は、ダウンリンク制御情報を送信するための方法、端末デバイス、およびネットワークデバイスを提供する。方法は、DCIを受信するステップであり、DCIは指示情報を含み、指示情報は、ダウンリンクデータ送信中にネットワークデバイスによって使用される層の数量、アンテナポート、およびスクランブリングアイデンティティのうちの少なくとも1つを示すために使用される、ステップと、指示情報に基づいて、ダウンリンクデータ送信中にネットワークデバイスによって使用される層の数量、アンテナポート、およびスクランブリングアイデンティティのうちの少なくとも1つを決定するステップとを含む。端末デバイスは、DCIを受信し得る。たとえば、端末デバイスは、UEであってもよい。ネットワークデバイスおよび端末デバイスは、指示情報と、層の数量、アンテナポート、およびスクランブリングアイデンティティのうちの少なくとも1つとの間の対応表を記憶する。端末デバイスが指示情報を受信すると、端末デバイスは、指示情報に基づいて、ダウンリンク送信中にネットワークデバイスによって使用される層の数量、アンテナポート、およびスクランブリングアイデンティティのうちの少なくとも1つを決定し得る。各アンテナポートは、1つの基準信号を送信する。端末デバイスは、アンテナポート上で送信されるデータを復調するために、基準信号に基づいてアンテナポートのチャネル推定値を取得してもよい。本出願の実施形態では、ネットワークデバイスおよび端末デバイスに記憶されたテーブルは、本出願において新たに構成されたテーブルであってもよい。新たに構成されたテーブルは、新たに追加されたスキームを含む。既存のテーブルと比較して、本出願において新たに構成されたテーブルは、より柔軟性が高く、DCI送信の信頼性およびシステム伝送効率を向上させることができる。
【図面の簡単な説明】
【００３３】
【図１】本出願の一実施形態による2つまたは3つのシンボルの長さを有するsTTIの概略図である。
【図２】本出願の一実施形態による、トランスポート層およびアンテナポートへのコードワードのマッピングの概略図である。
【図３】本出願の一実施形態による、アンテナポート間の等価チャネルの概略図である。
【図４】本出願の一実施形態による、TM9での最大8つのUE固有の基準チャネルをREにマッピングする概略図である。
【図５】本出願の一実施形態による、ネットワークアーキテクチャの概略図である。
【図６】本出願の一実施形態による、基地局の概略構造図である。
【図７】本出願の一実施形態による、端末デバイスの概略構造図である。
【図８】本出願の一実施形態による、基地局がUEにダウンリンク制御情報を送信する方法の概略フローチャートである。
【図９】本出願の一実施形態による、2シンボルの長さを有するsTTIシステムにおける可能なDMRSリソース構成の概略図である。
【図１０】本出願の一実施形態による、基地局がUEにダウンリンク制御情報を送信する方法の概略フローチャートである。
【図１０Ａ】本出願の一実施形態による、基地局がUEにダウンリンク制御情報を送信する方法の概略フローチャートである。
【図１１】本出願の一実施形態による、端末デバイスの概略構造図である。
【図１２】本出願の一実施形態による、端末デバイスの概略構造図である。
【図１３】本出願の一実施形態による、端末デバイスの概略構造図である。
【図１４】本出願の一実施形態による、ネットワークデバイスの概略構造図である。
【図１５】本出願の一実施形態による、ネットワークデバイスの概略構造図である。
【図１６】本出願の一実施形態による、ネットワークデバイスの概略構造図である。
【発明を実施するための形態】
【００３４】
理解しやすいように、本出願に関連するいくつかの概念の例示的な説明は、以下に示すように、参照のために提供される。
【００３５】
時間周波数リソース:LTEでは、時間周波数リソースは、時間次元では直交周波数分割多元接続(Orthogonal Frequency Division Multiplexing Access、OFDM)シンボルまたはシングルキャリア周波数分割多元接続(Single Carrier Frequency Division Multiplexing Access、SC-FDMA)シンボルに、周波数領域次元ではサブキャリアに分割される。最小のリソース粒度はリソース要素(Resource Element、RE)と呼ばれ、これは、時間領域における1つの時間領域シンボルおよび周波数領域における1つのサブキャリアを含む時間周波数グリッド点を表す。LTEシステムにおける典型的な時間周波数リソースは、15kHzのサブキャリア間隔、約70μsの時間領域シンボル持続時間、および約4μs〜6μsのサイクリックプレフィックス持続時間の構造に基づいており、1msあたり14シンボルが含まれている。
【００３６】
スケジューリング時間単位:LTEシステムにおけるサービスの送信は、基地局スケジューリングに基づく。上位層のデータパケットが物理層でスケジューリングされると、上位層のデータパケットは、トランスポートブロック内の小さいデータパケットに分割される。スケジューリング時間単位は、通常、1サブフレームであり、持続時間は、1msである(送信時間間隔TTIおよびサブフレームの物理的意味は基本的に同じであるので、TTIおよびサブフレームは互換性がある場合がある)。1つのサブフレームは、2つのスロットを含んでもよく、1つのスロットは、7つの時間領域シンボルを含んでもよい。LTE進化型システムでは、代替的に、より短いスケジューリング時間単位、たとえば、1つのスロットを使用する、またはさらには2つまたは3つの時間領域シンボルを1単位として使用するスケジューリングモードが存在してもよい。1msよりも短いスケジューリング時間単位は、通常、sTTIと呼ばれる。
【００３７】
スケジューリング手順:通常、基地局は、制御チャネル(物理アップリンク制御チャネル(Physical Uplink Control Channel, PDCCH)または短縮物理アップリンク制御チャネル(shortened PDCCH, sPDCCH)など)上で制御情報(DCIなど)を送信する。制御情報は、物理ダウンリンク共有チャネル(Physical Downlink Shared CHannel、PDSCH)または物理アップリンク共有チャネル(Physical Uplink Shared CHannel、PUSCH)上のトランスポートブロックTBに対応するハイブリッド自動再送要求(Hybrid Automatic Repeat Request、HARQ)プロセス番号およびスケジューリング情報を示す。スケジューリング情報は、リソース割振り情報(すなわち、使用された時間周波数リソース)などの制御情報、およびスケジューリングされたTBの変調およびコーディング方式(Modulation and Coding Scheme、MCS)インデックスを含む。
【００３８】
空間多重化:LTEシステムでは、MIMO技術を使用することによって、データ送信レートを数倍に増加させることができる。MIMOシステムでは、送信機と受信機の両方において複数のアンテナを使用して複数の並列送信チャネルを確立し、言い換えれば、複数のアンテナを使用することで、時間領域リソースおよび周波数領域リソースに加えて空間領域リソースが導入される。これによって、電力効率を低下させることなく、非常に高い帯域利用を提供することができる。言い換えれば、カバレージを大幅に低下させることなく、限られた帯域幅で非常に高いデータレートを提供することができ、これは通常、空間多重化と呼ばれる。空間多重化は、主に、データ送信レートを向上させるために使用される。データは複数のストリームに分割され、複数のストリームは同時に送信される。
【００３９】
TB:媒体アクセス制御層(Medium Access Control、MAC)から物理層に送信されるデータは、TBの形で編成される。1つのTBは、1つのデータブロックに対応する。データブロックは、1つのTTI内で送信されることになる。さらに、データブロックは、HARQ再送信のための単位でもある。UEが空間多重化をサポートしない場合、1つのTTIに最大1TBが送信される。UEが空間多重化をサポートしている場合、1つのTTIに最大2TBが送信される。
【００４０】
コードワード(Codeword、CW):コードワードとは、あるTTIに送信されたTBにおいてCRC挿入およびコードブロックセグメンテーションが行われ、各コードブロックに巡回冗長検査コード(Cyclic Redundancy Check、CRC)が挿入され、チャネルコーディングおよびレートマッチングが行われた後に取得されるデータビットストリームである。各コードワードは1TBに対応する。したがって、1つのUEは、1つのTTIで最大2つのコードワードを送信する。コードワードは、誤り訂正を伴うTBと見なされ得る。
【００４１】
トランスポート層:レイヤマッピングは、1つまたは2つのコードワードCWがスクランブルされ、変調された後に取得された変調シンボルにおいて行われ、次いで、変調シンボルは、最大4つのトランスポート層にマッピングされる。各層は、1つの有効なデータストリームに対応する。トランスポート層の数量、すなわち層の数量は、「送信順序」または「送信ランク」と呼ばれる。送信ランクは動的に変化してもよい。コードワードの層へのマッピングは、コードワードをN個に均等に分割し、各ピースを別個の層に配置するプロセスと考えられ得る。ここでは、Nは、コードワードがマッピングされる必要がある層の数量に等しい。
【００４２】
プリコーディング:プリコーディングは、プリコーディング行列を使用して、トランスポート層をアンテナポート(antenna port)にマッピングするプロセスである。プリコーディング行列は、R×P行列であり、Rは送信ランクであり、Pはアンテナポートの数量である。図2は、トランスポート層およびアンテナポートへのコードワードのマッピングの概略図である。
【００４３】
アンテナポート:これは、論理的な概念である。具体的に言えば、アンテナポートは、1つの物理的送信アンテナであってもよく、または複数の物理的送信アンテナの組合せであってもよい(この場合、アンテナポートと複数の物理的アンテナとの間に「プリコーディング」が存在する)。しかしながら、UEは、この2つのケースを区別しない。具体的に言えば、UEの受信機は、同じアンテナポートからの信号を区別しない。これは、UEの観点からは、図3に示すように、送信端におけるアンテナポートの物理的アンテナへのマッピング、送信端から受信端への物理的アンテナ間のエアインターフェースチャネル、および物理的アンテナの受信端におけるアンテナポートへのマッピングは、同等のチャネルと見なされるからである。受信側のアンテナポートと送信側のアンテナポートは同一である。具体的に言えば、基地局とUEは両方、同じアンテナポート識別子を有する。たとえば、基地局は、ポート7を介してデータの層を送信する。これは、UEは、ポート7を介してデータの層を受信することを意味する。
【００４４】
TB、コードワード、トランスポート層、アンテナポートの間の関係は、TBの数量=コードワードの数量≦送信層の数量≦アンテナポートの数量であり得る。
【００４５】
以下、基準信号RSについて説明する。
【００４６】
図4は、LTEのリリース10において、最大8層(LTEのTM9において、8つのアンテナポート、ポート7〜14に対応)の送信をサポートするUE固有の基準信号の構成を示す。各RBペア(12のサブキャリア×14の時間領域シンボルを含む)は、24のREを含むことがわかる。異なる周波数領域の位置に基づいて、8つの基準信号は、2つのグループに分割されてもよく、各グループは4つの基準信号を含む。図4に示されているように、復調基準信号(DeModulation Reference Signal、DMRS)0/1/4/6(アンテナポート7/8/11/13に対応)が1つのグループにあり、DMRS2/3/5/7(アンテナポート9/10/12/14に対応)が別のグループにある。同一グループ内の基準信号は、同一のREリソースを占有し、異なる直交カバーコード(Orthogonal Cover Code、OCC)を使用して互いに区別される。OCCは、同一の周波数領域位置(同一のサブキャリアを使用)を有するが、異なる時間領域位置(異なるOFDMシンボル)を有する同一のサブフレーム内の4つのREに適用される。異なるグループの基準信号は、異なるREリソースを占有する。したがって、異なるグループの基準信号は互いに干渉しない。
【００４７】
TM9を使用する複数のUEについて、シングルユーザ多入力多出力(Single User-MIMO、SU-MIMO)が使用される場合、異なるUEに対応するDMRSは、異なる周波数領域リソースを使用することによって、互いに区別され(異なるRBが異なるUEに割り当てられる)、同じUEの異なるアンテナポート間の複数のDMRSは、異なる周波数領域リソース(異なるサブキャリアは異なるグループのアンテナポートに使用される)および異なるOCC(異なるOCCは同じグループのアンテナポートに使用される)を使用することによって、互いに区別される。マルチユーザ多入力多出力(Multi User-MIMO、MU-MIMO)が使用される場合(この場合、アンテナポート7および8のみを使用することができる)、2つのUEが同じ時間周波数リソースを使用し、異なるUEに対応するDMRSは、OCCとスクランブリングコードnSCIDの異なる組合せを使用することによって、互いに区別される。TM9は、最大8層のSU-MIMO送信および最大4層のMU-MIMO送信をサポートすることができる。
【００４８】
図5に示されるように、本出願のネットワークアーキテクチャは、ネットワークデバイスおよび端末デバイスを含み得る。
【００４９】
ネットワークデバイスは、基地局(Base Station、BS)デバイスであってもよく、基地局とも呼ばれ、無線アクセスネットワーク内に配置され、ワイヤレス通信機能を提供するように構成された装置である。たとえば、2Gネットワークで基地局機能を提供するデバイスは、基地ワイヤレストランシーバ局(Base Transceiver Station、BTS)および基地局コントローラ(Base Station Controller、BSC)を含み、3Gネットワークで基地局機能を提供するデバイスは、NodeB(NodeB)および無線ネットワークコントローラ(Radio Network Controller、RNC)を含み、4Gネットワークで基地局機能を提供するデバイスは、進化型NodeB(evolved NodeB、eNB)を含み、ワイヤレスローカルエリアネットワーク(Wireless Local Area Networks、WLAN)で基地局機能を提供するデバイスは、アクセスポイント(Access Point、AP)であり、5G通信システムで基地局機能を提供するデバイスは、eNB、新無線NodeB(New Radio NodeB、gNB)、集中型ユニット(Centralized Unit、CU)、分散型ユニット(Distributed Unit)、新無線コントローラなどを含む。
【００５０】
端末デバイスは、移動可能な端末デバイスであってもよく、または固定の端末デバイスであってもよい。たとえば、端末デバイスは、ユーザ機器(user equipment、UE)であってもよい。デバイスは、主にサービスデータを受信または送信するように構成されている。ユーザ機器は、ネットワーク内に分散されていてもよい。ユーザ機器は、たとえば、端末、コンソール、加入者ユニット、ステーション、携帯電話、パーソナルデジタルアシスタント、ワイヤレスモデム、ワイヤレス通信デバイス、ハンドヘルドデバイス、ラップトップコンピュータ、コードレス電話、ワイヤレスローカルループ局など、異なるネットワークにおいて異なる名前を有する。ユーザ機器は、無線アクセスネットワーク(radio access network、RAN)(ワイヤレス通信ネットワークのアクセスされた部分)を使用して、1つまたは複数のコアネットワークと通信してもよく、たとえば、無線アクセスネットワークと音声および/またはデータを交換する。
【００５１】
一例では、基地局は、図6に示される構造を使用して実装されてもよい。図6は、基地局の一般的なハードウェアアーキテクチャを示す。図6に示される基地局は、ビルディングベースバンドユニット(building baseband unit、BBU)、およびリモート無線ユニット(remote radio unit、RRU)を含んでいてもよい。RRUとアンテナフィーダシステム(すなわち、アンテナ)とが接続されている。BBUとRRUは、必要に応じて別々に使用されてもよい。特定の実装形態のプロセスにおいて、基地局200は、図6に示される一般的なハードウェアアーキテクチャのみに限定される代わりに、別の一般的なハードウェアアーキテクチャを有していてもよいことに留意されたい。本出願の本実施形態では、RRUは、アンテナフィーダシステムを使用して、端末デバイスにダウンリンク制御情報などを送信してもよい。
【００５２】
一例では、端末デバイス700は、図7に示される構造を使用して実装されてもよい。たとえば、端末デバイス700は携帯電話であり、図7は、説明のために携帯電話の一般的なハードウェアアーキテクチャを示している。図7に示される携帯電話は、無線周波数(radio Frequency、RF)回路710、メモリ720、別の入力デバイス730、ディスプレイ画面740、センサ750、オーディオ回路760、I/Oサブシステム770、プロセッサ780、および電源790などの構成要素を含み得る。当業者は、図7に示される携帯電話の構造は、携帯電話の任意の制限を構成するものではなく、携帯電話は、図に示されたものよりも多いまたは少ない構成要素を含んでいてもよく、または、いくつかの構成要素が結合されていてもよく、または、いくつかの構成要素が分解されていてもよく、または、異なる構成要素の配置が使用されていてもよいことを理解されよう。当業者であれば、ディスプレイ画面740は、ユーザインターフェース(user Interface、UI)に属し、ディスプレイ画面740は、表示パネル741およびタッチパネル742を含んでもよいことを理解されよう。さらに、携帯電話は、図に示されるものよりも多いまたは少ない構成要素を含んでいてもよい。図示されていないが、携帯電話は、カメラまたはBluetoothモジュールなどの機能モジュールまたはデバイスをさらに含んでもよい。詳細は、本明細書には記載されていない。
【００５３】
さらに、プロセッサ780は、RF回路710、メモリ720、オーディオ回路760、I/Oサブシステム770、および電源790に個別に接続されている。入出力(Input/Output、I/O)サブシステム770は、別の入力デバイス730、ディスプレイ画面740、およびセンサ750に個別に接続されている。RF回路710は、情報の受信および送信中、または通話処理中に信号を受信および送信するように構成されていてもよい。特に、基地局のダウンリンク情報を受信した後、RF回路710は、処理のためにプロセッサ780にダウンリンク情報を送信する。たとえば、本出願の本実施形態では、RF回路710は、基地局によって送信されたダウンリンク制御情報などを受信するように構成されている。メモリ720は、ソフトウェアプログラムおよびモジュールを記憶するように構成されていてもよい。プロセッサ780は、メモリ720に記憶されたソフトウェアプログラムおよびモジュールを実行することによって、携帯電話の様々な機能アプリケーションおよびデータ処理を実行する。別の入力デバイス730は、入力された数字または文字情報を受信し、携帯電話のユーザ設定および機能制御に関連するキー信号入力を生成するように構成されていてもよい。ディスプレイ画面740は、ユーザによって入力された情報またはユーザに提供された情報、携帯電話の様々なメニューを表示するように構成されていてもよく、ユーザ入力をさらに受信してもよい。センサ750は、光学センサ、モーションセンサ、または他のセンサであってもよい。オーディオ回路760は、ユーザと携帯電話との間のオーディオインターフェースを提供してもよい。I/Oサブシステム770は、外部入出力デバイスを制御するように構成されている。外部デバイスは、別のデバイス入力コントローラ、センサコントローラ、またはディスプレイコントローラを含んでもよい。プロセッサ780は、携帯電話700の制御センターであり、様々なインターフェースおよび回線を使用して携帯電話全体のすべての部分を接続する。メモリ720に記憶されたソフトウェアプログラムおよび/またはモジュールを稼働させ、または実行し、メモリ720に記憶されたデータを呼び出すことによって、プロセッサ780は、携帯電話700の様々な機能および/またはデータ処理を実行して、携帯電話における全体の監視を行う。電源790(たとえばバッテリ)は、上記構成要素に電力を供給するように構成されている。好ましくは、電源は、電源管理システムを使用してプロセッサ780に論理的に接続され、それによって、電源管理システムを使用して、充電、放電、および電力消費管理などの機能を実装してもよい。
【００５４】
本出願の基本原理は以下の通りである。LTE進化型システムでは、送受信の遅延を低減するために、ネットワークデバイスは、端末デバイスのためにsTTI送信を構成してもよい。この場合、既存のLTEテーブルでは、いくつかの構成は、sTTIシステムに適用することができない。既存のテーブルがsTTIシステムに適用された場合、DCIは、不要な情報を搬送し、DCIは、過剰なビットを占有する。したがって、本出願の実施形態では、sTTIシステムが複数のトランスポート層のダウンリンク送信をサポートするために、送信層の数量、アンテナポート、およびスクランブリングコードIDの指示情報の新しいテーブルが設計される。これによって、DCIのビット負荷を低減することができる。代替的に、既存のテーブルでは、別の可能な構成の方法が、不可能な構成の方法の代わりに使用され、システムのパラメータ構成の柔軟性を増加させ、システム性能を向上させる。
【００５５】
本出願の実施形態は、ワイヤレス通信システムにおけるネットワークデバイスと端末デバイスとの間の短縮TTIデータ送信に適用され得る。ワイヤレス通信システムは、4.5Gまたは5G通信システムであってもよい。
【００５６】
以下は、ネットワークデバイスが基地局であり、端末デバイスがUEである例を使用して、本出願の実施形態を説明する。
【００５７】
基地局によってUEにダウンリンク制御情報を送信するための方法が図8に示されていてもよく、以下のステップを含む。
【００５８】
801。基地局は、DCIを生成し、DCIは、指示情報を含み、指示情報は、ダウンリンクデータ送信中にネットワークデバイスによって使用される層の数量、アンテナポート、およびスクランブリングアイデンティティのうちの少なくとも1つを示すために使用される。
【００５９】
複数のテーブル、たとえば、以下の実施形態で述べた表1、表2、および表3のうちの少なくとも1つ、ならびに表4、表5、表6、および表7のうちの少なくとも1つが、基地局およびUEにおいて事前構成されていてもよい。表4、表5、表6、および表7は、本出願において新たに構成されたテーブルである。新たに構成されたテーブルに、層の数量、アンテナポート、スクランブリングアイデンティティのうちの2つまたは3つを含むスキームには、本出願において新たに追加されたスキームが含まれる。言い換えれば、本出願では、DCIで指示情報によって示されるスキームは、新たに追加されたスキームであってもよい。新たに構成されたテーブルについては、本出願の本実施形態では、ステップ704の後に別途説明する。
【００６０】
802。基地局は、DCIを送信する。
【００６１】
803。UEは、DCIを受信する。
【００６２】
804。UEは、指示情報に基づいて、ダウンリンクデータ送信中に基地局によって使用される層の数量、アンテナポート、およびスクランブリングアイデンティティのうちの少なくとも1つを決定する。
【００６３】
基地局は、上位層シグナリングを使用して、UEが検索すべきテーブルを示し得る。UEがDCIを受信すると、UEは、DCI内の指示情報に基づいて、ダウンリンクデータ送信中に基地局によって使用され、指示情報によって示される動的情報を決定してもよく、ここで、動的情報は、層の数量、アンテナポート、および使用されるスクランブリングアイデンティティのうちの少なくとも1つを含み、したがって、UEは、動的情報に基づいて基地局のダウンリンク送信中に基準情報番号においてチャネル推定を実行して、アンテナポート上でアップリンクおよびダウンリンク送信中のデータを復調するようにする。
【００６４】
2シンボルの時間長を有するsTTIシステムでは、可能なDMRS構成が図9に示されていてもよい。図9は、1つのRBに含まれる時間周波数グリッド点を示す。RBは、時間領域では2つの時間領域シンボルを占有し、周波数領域では12のサブキャリアを占有する。図9の斜線部分は、DMRSを搬送するために使用され、基地局によってRB内のUE1およびUE2に割り振られるREのリソースのマッピングを示す。UE1とUE2の両方は、1つのコードワードで空間多重化をサポートするために2つの層を使用する。UE1とUE2を区別するために、異なるポートが使用される。この場合、時間領域シンボルの量は、従来のLTEシステムでは14個から、sTTIシステムでは2個に変化する。したがって、sTTIシステムでは、4つのREの長さを有するOCCを時間領域でサポートすることはできない。結果として、sTTIシステムでサポートされるアンテナポートの最大数は4である。この場合、従来の表1および表2では、アンテナポート11〜14に関する構成はすべて無効となり、基地局は、アンテナポート11〜14に関する構成をUEに対してスケジュールすることができない。この場合、表1および表2のアンテナポート11〜14に関連するスキームは構成する必要がない。
【００６５】
さらに、従来のLTEシステムと比較して、sTTIシステムでは、DMRSのオーバーヘッドを低減するために、1RBでは、DMRSの周波数領域密度が従来のTTIでのRMRSの周波数領域密度よりも低くなり、周波数領域のDMRSの量が3から2に減少する。結果として、DMRSの干渉除去能力が低下する。言い換えれば、基地局が複数のユーザを同時にスケジューリングすると、DMRSの量が減少し、したがって、DMRSを使用してUEによって実行されるチャネル推定の精度が低下し、チャネル推定の性能が低下する。さらに、基地局が同じ時刻、周波数、アンテナポートで搬送され、スクランブリングコードを使用して区別される2つの準直交DMRSを同時に送信する場合、2つのDMRS間の干渉は、従来のTTIに比べて強く、ダウンリンクのデータ送信性能が低下する。したがって、sTTIシステムでは、基地局は、UEのスケジューリングに非直交マルチユーザ多重化モードを使用しないようにする必要がある。この場合、基地局は、スクランブリングコードを使用して異なるUEを区別し、多重化する必要はない。この場合、既存の表1および表2では、非直交マルチユーザ多重化モードを使用せずにUEがスケジューリングされるとき、表1および表2のnSCIDに関連するスキームを構成する必要はない。
【００６６】
したがって、sTTIシステムでは、上記の説明によれば、上記の説明を考慮した後に、表1および表2が縮小されてもよい。表1、表2、表3の各値が指示情報と呼ばれ、その値に対応するメッセージ内の情報がスキームと呼ばれる場合、表1、表2のアンテナポート11〜14に関連するスキームが削除され、表1、表2のスキームにおけるnSCID=0およびnSCID=1のパラメータ構成が削除され、表2のOCCが4であることに関連するスキームが削除されて、表1および表2の縮小後の新しいテーブルを取得するようにしてもよい。
【００６７】
表1の縮小を一例として使用する。sTTIシステムでは、ダウンリンクデータ送信において、コードワードは1つしか存在しない。この場合、縮小の後、表4に表1が示されてもよい。
【００６８】
【表４】
2021503838.tif 000006
【００６９】
表4において、x、y、z、wは、アンテナポートの識別子を示す。表1のスキームの縮小後に取得されたスキームにおいて、アンテナポートを示すためにx、y、z、wが使用される理由は、アンテナポートの識別子、すなわち識別子ポートの識別子が、基準信号を送信するための位置と厳密に1対1の対応関係にあるからである。言い換えれば、既存のLTEシステムでは、ポートの識別子7〜10は、ポートの識別子に対応するDMRSをサブフレームの各スロットで送信し、スロット内の最後の2つのシンボル上に配置する必要があることを意味する。sTTIシステムでは、DMRSは、sTTI内に配置される。言い換えれば、sTTIがスロット内の最後の2つのシンボル上に配置されていないとき、sTTIに対応するDMRSは、スロット内の最後の2つのシンボル上で明確に送信されない。したがって、sTTIにおけるDMRSに対応するポートは、もはやポートの識別子7〜10と呼ぶことはできない。
【００７０】
表1のスキームが予約されているとき、そのスキームを冗長情報と呼ぶことがある。表5は、指示情報が5であるときにスキームが予約されているケースを1つのみ示している。しかしながら、当業者であれば、表1の指示情報によって示されるスキームからスクランブリングコードIDに関連するスキームが削除された場合、削除されたスキームが予約されることを理解されよう。この場合、複数の冗長情報が追加され、それに応じて冗長情報を示すための指示情報の割合が増加する。UEが基地局によって送信されたDCIにおいて指示情報を検出したとき、UEが基地局によって送信された第1の指示情報を第2の指示情報(非冗長情報)と誤ったためにエラーが発生した場合、UEは、第1の指示情報に対応するダウンリンクデータを正しく受信することができないことを理解されよう。UEが基地局によって送信されたDCIにおいて指示情報を検出したとき、UEが基地局によって送信された第1の指示情報を冗長情報と誤ったためにエラーが発生した場合、UEは、誤検出が発生したことを認識し、第1の指示情報を再度復調する。したがって、指示情報内の冗長情報の割合が高いほど、UEが指示情報を正しく検出する可能性が高いことを示しているので、ダウンリンク制御情報DCIの送信の信頼性が高くなる。
【００７１】
可能な実装形態では、表1の縮小の後に表4が取得された後、別の可能なスキームが表4にさらに追加されてもよい。表4の層の数量が2層であるとき、アンテナポートは、ポートxおよびyである。層の数量が2層であるとき、アンテナポートが別の2ポートであるケースがさらに追加されてもよい。この場合、新しい層の数量および対応するアンテナポートを示すために、指示情報が使用されてもよい。
【００７２】
一例では、ダウンリンクデータ送信ではコードワードが1つのみ存在し、指示情報は、スキームmまたはスキームnを示し、スキームmおよびスキームnの各々における層の数量は2でもよく、スキームmのアンテナポートとスキームnのアンテナポートとは異なる。
【００７３】
たとえば、表5において、値が3および4であるときの対応するスキームは、新たに追加されたスキームである。
【００７４】
【表５】
2021503838.tif 000007
【００７５】
表5の指示情報の指示範囲は、少なくとも上記の7つのスキームおよび予約スキームを含み、別のスキームをさらに含んでもよいことに留意されたい。これは、本出願では限定されない。表5を参照すると、
第1のスキームでは、層の数量は1、アンテナポートはxであり、
第2のスキームでは、層の数量は1、アンテナポートはyであり、
第3のスキームでは、層の数量は2、アンテナポートはxおよびyであり、
第4のスキームでは、層の数量は2、アンテナポートはxおよびzであり、
第5のスキームでは、層の数量は2、アンテナポートはyおよびwであり、
第6のスキームでは、層の数量は3、アンテナポートはx、y、およびzであり、
第7のスキームでは、層の数量は4、アンテナポートはx、y、z、およびwである。
【００７６】
表5が適用されたとき、スキームmは、対応して、第4のスキームにおける層の数量およびアンテナポートを含み、スキームnは、第5のスキームにおける層の数量およびアンテナポートの数量を含んでいてもよい。
【００７７】
言い換えれば、ステップ701で基地局によって生成されたDCIにおける指示情報、すなわち値が3であるとき、ダウンリンクデータ送信中にUEによって使用される層の数量が2であり、ダウンリンクデータ送信中にUEによって使用されるアンテナポートがxおよびzであることを示す。この場合、ステップ704では、UEは、表5およびDCI内の指示情報に基づいて、ダウンリンク送信中に基地局によって使用される層の数量およびアンテナポートを決定することができる。DCI内の指示情報が4であるとき、同様のケースが起こる。
【００７８】
このようにして、基地局およびUEが、DCI内の指示情報による指示に基づいて、新たに追加されたスキームの表5を記憶するとき、基地局は、アンテナポートリソースをUEにより柔軟に示すことができる。たとえば、表5の層の数量が2であるとき、アンテナポートのオプションのケースが3つあり得る。各アンテナポートリソースの使用中のUEの伝送効率はまったく同じというわけではないので、基地局は、アンテナポートリソースをUEにより柔軟に示すことができる。このようにして、基地局は、伝送効率の最も高いアンテナポートリソースを選択してUEにサービスを提供することができ、それによって、システムの伝送効率を向上させることができる。
【００７９】
別の可能な実装形態では、本出願は、任意の新しいスキームを追加することなく、表4をさらに縮小することができ、したがって、DCI内の指示情報によって占有されるビットの量が減少し、それによってDCIシグナリングオーバーヘッドが低減する。
【００８０】
一例では、DCI内の指示情報によって占有されるビットの量は、1以上3未満であってもよく、指示情報は、層の数量が第1の層の数量または第2の層の数量であることを示し、第1の層の数量と第2の層の数量とは異なる。言い換えれば、基地局およびUEに記憶されているテーブルでは、異なるスキームが異なる層の数量に対応していてもよく、それに対応して、異なる層の数量が異なるアンテナポートに対応する。
【００８１】
たとえば、表4のスキーム「1層、ポート8」が削除された場合、表4は表6に更新されてもよい。
【００８２】
【表６】
2021503838.tif 000008
【００８３】
DCI内の指示情報の指示範囲は、表6の最大4つのスキームを含み、表6の少なくとも2つのスキームを含み得ることに留意されたい。表6を参照すると、
第1のスキームでは、層の数量は1、アンテナポートはxであり、
第2のスキームでは、層の数量は2、アンテナポートはxおよびyであり、
第3のスキームでは、層の数量は3、アンテナポートはx、y、およびzであり、
第4のスキームでは、層の数量は4、アンテナポートはx、y、z、およびwである。
【００８４】
表6が適用されると、第1の層の数量が第2の層の数量と等しくないとき、第1の層の数量と第2の層の数量とは各々、4つのスキームのいずれか1つの層の数量であってもよい。たとえば、第1の層の数量は1であり、第2の層の数量は2、3、または4であってもよい。
【００８５】
さらに、既存の表1および表2と比較して、本出願で構成された表6では、DCI内の指示情報は2ビットのみを占有し、DCIシグナリングオーバーヘッドが低減する。PDCCHでDCIを搬送するためのビットの量が低減される。この場合、PDCCHにおけるより多くのビットは、符号化された冗長ビットである。冗長ビットの量が多いほど、DCIの送信の信頼性が高いことを示している。
【００８６】
表3のスキームでは、対応する層の数量は2つのみである。既存の表3と比較して、本出願において構成された表6では、層の数量は1〜4を含む。基地局では、基地局は、指示情報を使用して、データ送信中に使用される層の数量をUEにより柔軟に示すことができる。異なる層の数量を使用することによるデータ送信中のUEの伝送効率はまったく同じというわけではないので、基地局は、システムの伝送効率を向上させるために、UEにサービスを提供するために、伝送効率の最も高いデータ送信のために層の数量を選択してもよい。
【００８７】
さらに別の可能な実装形態では、本出願では、テーブルは、基地局およびUEのマルチユーザスケジューリングのケースのためにさらに構成されてもよい。テーブルでは、異なるスクランブリングコードが複数のユーザに示されている間、データ送信のための層の数量をUEにより柔軟に示すことができ、したがって、UEはMU-MIMOシナリオをサポートすることができる。
【００８８】
一例では、UEの1つのコードワードのみが有効な状態にあるとき、指示情報は、スキームpまたはスキームqを示し、スキームpおよびスキームqの各々の層の数量は1であり、スキームpのスクランブリングアイデンティティとスキームqのスクランブリングアイデンティティとは異なり、または、指示情報は、スキームrまたはスキームsを示し、スキームrおよびスキームsの各々の層の数量は2であり、スキームrのスクランブリングアイデンティティとスキームsのスクランブリングアイデンティティとは異なる。
【００８９】
たとえば、表7は、マルチユーザスケジューリングのために構成されたテーブルである。
【００９０】
【表７】
2021503838.tif 000009
【００９１】
表7の指示情報の指示範囲は、少なくとも上記の8つのスキームを含み、別のスキームをさらに含んでもよいことに留意されたい。これは、本出願では限定されない。表7を参照すると、
第1のスキームでは、層の数量は1、アンテナポートはx、スクランブリングアイデンティティは0であり、
第2のスキームでは、層の数量は1、アンテナポートはx、スクランブリングアイデンティティは1であり、
第3のスキームでは、層の数量は1、アンテナポートはy、スクランブリングアイデンティティは0であり、
第4のスキームでは、層の数量は1、アンテナポートはy、スクランブリングアイデンティティは1であり、
第5のスキームでは、層の数量は2、アンテナポートはxおよびy、スクランブリングアイデンティティは0であり、
第6のスキームでは、層の数量は2、アンテナポートはxおよびy、スクランブリングアイデンティティは1であり、
第7のスキームでは、層の数量は3、アンテナポートはx、y、およびzであり、
第8のスキームでは、層の数量は4、アンテナポートはx、y、z、およびwである。
【００９２】
表7が適用されるとき、スキームpは、第1のスキームで、層の数量、アンテナポート、およびスクランブリングアイデンティティを含み、スキームqは、第2のスキームまたは第4のスキームで、層の数量、アンテナポート、およびスクランブリングアイデンティティを含み得る。
【００９３】
代替的に、スキームpは、第2のスキームで、層の数量、アンテナポート、およびスクランブリングアイデンティティを含み、スキームqは、第1のスキームまたは第3のスキームで、層の数量、アンテナポート、およびスクランブリングアイデンティティを含み得る。
【００９４】
スキームrは、第5のスキームで、層の数量、アンテナポート、およびスクランブリングアイデンティティを含み、スキームsは、第6のスキームで、層の数量、アンテナポート、およびスクランブリングアイデンティティを含み得る。
【００９５】
スキームpおよびスキームsが一例として使用される。基地局がマルチユーザスケジューリングを行うとき、基地局によってUE1に送信される指示情報の値が0である場合、ダウンリンクデータ送信中にUE1によって使用される層の数量が1、ダウンリンクデータ送信中にUE1によって使用されるアンテナポートがx、ダウンリンクデータ送信中にUE1によって使用されるスクランブリングアイデンティティが0であることを示し、基地局によってUE2に送信される指示情報の値が5である場合、ダウンリンクデータ送信中にUE2によって使用される層の数量が2、ダウンリンクデータ送信中にUE2によって使用されるアンテナポートがxおよびy、ダウンリンクデータ送信中にUE2によって使用されるスクランブリングアイデンティティが1であることを示す。この場合、基地局がマルチユーザスケジューリングを行うとき、UE1およびUE2に異なるスクランブリングアイデンティティが示される間、UE1およびUE2に示されるデータ送信のための層の数量が異なる場合がある。異なる層の数量でのデータ送信中のUEの伝送効率はまったく同じというわけではないので、基地局は、データ送信のための層の数量をより柔軟に示すことができる。この場合、基地局は、システムの伝送効率を向上させるために、UEにサービスを提供するために、伝送効率の最も高いデータ送信のために層の数量を選択してもよい。
【００９６】
表4、表5、表6、および表7では、アンテナポートxおよびアンテナポートyに対応するRSが同じグループのRE上で搬送され、異なる直交重畳コードを使用して2つのポートが互いに区別されることに留意されたい。アンテナポートzおよびアンテナポートwに対応するRSが同じグループのRE上で搬送され、異なる直交カバーコードを使用して2つのポートが互いに区別される。
【００９７】
このようにアンテナポート間を区別することは、以下の利点がある。一方、基地局が時間周波数リソース上で1人のユーザのみをスケジューリングし、2層を使用して送信を行うことを予想するとき、アンテナポートxおよびy(たとえば、表3の値2)が基地局によって割り振られてもよい。この場合、アンテナポートzおよびwのRSを搬送するREがユーザのデータ送信のために解放されてもよく、それによって、リソースの利用効率が向上する。
【００９８】
一方、基地局が時間周波数リソース上で2人のユーザをスケジューリングすることを予想し、各ユーザが2層を使用して送信を行い、2人のユーザが異なるアンテナポートを使用して互いに区別されるとき、基地局は、一方のユーザにはアンテナポートxおよびzを割り振り、他方のユーザにはアンテナポートyおよびwを割り振る(たとえば、表3の値3および4)。このようにして、各ユーザは、追加のシグナリング通知を必要とせずに、アンテナポートx、y、z、wのRSを搬送するすべてのREがRSによって占有されていること、言い換えれば、受信される必要があるダウンリンクデータがこれらのRE上で送信されないことを学習する。そのようなスキームでは、物理的シグナリングが低減されるか、またはダウンリンク制御情報のオーバーヘッドが低減される。
【００９９】
可能な設計では、表4、表5、表6、および表7において、xの値は107、yの値は108、zの値は109、およびwの値は110であってもよい。
【０１００】
上記の説明によれば、本出願における新たに構成されたテーブルが、ネットワークデバイスおよび端末デバイスに記憶される。新たに構成されたテーブルは、新たに追加されたスキームを含む。既存のテーブルと比較して、sTTIシステムの場合、本出願において新たに構成されたテーブルは、より柔軟性が高く、DCI送信の信頼性およびシステム伝送効率を向上させることができる。
【０１０１】
さらに、基地局は、DCIを使用して特定のUEに対してダウンリンク送信中に使用される周波数リソースをさらに示してもよい。基地局による周波数リソースの指示には、合計で3つの方法がある。3つの方法は、タイプ0、タイプ1、タイプ2と呼ばれる。タイプ2では、基地局は、複数の連続した仮想リソースブロック(Virtual Resource Block、VRB)または物理リソースブロック(Physical Resource Block、PRB)をユーザに示し得る。このタイプのリソース割振りでは、基地局によってUEに割り振られたリソースは、リソースインジケータ値(Resource Indication Value、RIV)を使用して示される。UEは、RIVを使用して、基地局によってUEに割り振られた周波数リソースの開始RB(RBstartによって示す)、および割り振られた連続するVRBまたはPRBの長さ(Mによって示す)を推論してもよい。計算式は以下の通りである。
【０１０２】
Mが
【０１０３】
【数１】
2021503838.tif 000010
【０１０４】
以下である場合、RIV=N(M-1)+RBstart、そうでない場合はRIV=N(N-M+1)+N-1-RBstartであり、Nは、システムダウンリンク送信で使用することができるPRBまたはVRBの最大量である。
【０１０５】
sTTIシステムでは、時間領域リソースのために、各sTTIが短くなる。したがって、sTTIの時間領域の長さに比例して搬送できるデータ量が減少しないようにするために、基地局によってユーザに割り振られる周波数領域リソースが増加する。結果として、リソース指示タイプ2もそれに対応して変更される必要がある。具体的には、タイプ2は、もはや複数の連続したVRBまたはPRBを示すのではなく、複数の連続したリソースブロックグループ(Resource Block Group、RBG)を示す。そのような変更により、元のRIV計算式の再設計が必要となる。
【０１０６】
したがって、本出願の一実施形態は、ダウンリンク制御情報を送信するための方法をさらに提供し、その方法は、sTTIシステムに適用されてもよい。ネットワークデバイスが基地局であり、端末デバイスがUEであることが一例として使用されている。図10に示すように、方法は、以下のステップを含む。
【０１０７】
101。基地局はDCIを生成し、DCIは指示情報を含み、指示情報は、ダウンリンクデータ送信中に基地局によって使用される周波数領域リソースを示すために使用される。
【０１０８】
指示情報および基地局によって使用される周波数領域リソースを計算する方法は、ネットワークデバイスと端末デバイスの両方に存在する。基地局は、UEとの間で実行されるダウンリンクデータ送信中に使用される周波数領域リソースを決定すると、DCIを生成し、ここで、DCIは、指示情報を搬送し、指示情報は、RIVのビット情報である。UEは、指示情報に基づいて、ダウンリンクデータ送信中に基地局によって使用される周波数領域リソースを決定する。
【０１０９】
RIVと周波数領域リソースとの間の関係、すなわち計算式は、本出願において新たに構成された計算式である。具体的に言えば、基地局は新たな計算方法に基づいてRIVを取得し、UEはまた、新たな計算式に基づいて周波数領域リソースを推論する。計算方法は、ステップ104の後に記載される。
【０１１０】
102。基地局は、DCIを送信する。
【０１１１】
103。UEは、DCIを受信する。
【０１１２】
104。UEは、DCI内の指示情報に基づいて、ダウンリンクデータ送信中に基地局によって使用される周波数領域リソースを決定する。
【０１１３】
ダウンリンクデータ送信中に基地局によって使用される周波数領域リソースを決定した後、UEは、周波数領域リソース上で、基地局によって送信されたダウンリンクデータを受信することができる。
【０１１４】
sTTIシステムに適応するために、指示情報と周波数領域リソースとの間の関係について、可能な実装形態では、RIVに対応する指示情報は6ビット情報であってもよく、指示情報の指示範囲は64のスキームを含み、RIVの値範囲は0〜63であり、各RIVに対応するスキームは、基地局によってUEに割り振られた周波数リソースの開始VRBまたはPRBインデックス、および連続したSRBGの量を含む。基地局によってUEに割り振られた周波数領域リソースは、m+1個の短縮リソースブロックグループ(Short Resource Block Group、SRBG)を含むと仮定する。各SRBGは、4つまたは5つのVRBまたはPRBを含む。周波数領域リソースの開始位置に対応するVRBまたはPRBのインデックスは2nである。この場合、基地局は、計算式、11m+n(ここで、mは0以上5以下、nは0以上10以下であり、mが5に等しいとき、nは9と10に等しくない)を使用してRIVの値を取得してもよい。RIVの値に対応する指示情報は、ダウンリンクデータ送信中に基地局によって使用される周波数領域リソースがm+1個のSRBGであり、開始位置に対応するVRBまたはPRBインデックスが2*nであることを示す。
【０１１５】
上記の説明によれば、一例では、RIVの計算式は、以下の通りであり得る。
RIV=11*(L-1)+RBstart/2
式中、RBstartは、基地局によってUEに割り振られた周波数リソースの開始VRBまたはPRBの開始のインデックスであり、インデックスは2*nに等しく、Lは割り振られた連続するSRBGの量であり、L=m+1である。
【０１１６】
UEは、基地局によって送信された指示情報を受信すると、RIVのものであり、指示情報によって示される値に基づいて、ダウンリンクデータ送信中に基地局によって使用される周波数領域リソースL、および開始位置に対応するVRBまたはPRBインデックスRBstartを推論してもよい。UEは、RIV/11の値mおよび余剰nを使用して、Lの値および2*nの値、言い換えれば、割り振られた連続するSRBGの量、および開始VRBまたはPRBインデックスを取得してもよい。
【０１１７】
別の可能な設計では、指示情報は6ビット情報であってもよく、指示情報の指示範囲は64のスキームを含み、RIVの値範囲は0〜63であり、各RIVに対応するスキームは、基地局によってUEに割り振られた周波数リソースの開始VRBまたはPRBインデックス、および連続したSRBGの量を含む。基地局によってUEに割り振られた周波数領域リソースは、n+1個のSRBGを含むと仮定する。各SRBGは、4つまたは5つのVRBまたはPRBを含む。周波数領域リソースの開始位置に対応するVRBまたはPRBのインデックスは2*mである。この場合、基地局は、計算式、6m+n(ここで、mは0以上10以下、nは0以上5以下であり、mが10に等しいとき、nは4と5に等しくない)を使用してRIVの値を取得してもよい。RIVの値に対応する指示情報は、ダウンリンクデータ送信中に基地局によって使用される周波数領域リソースがn+1個のSRBGであり、開始位置に対応するVRBまたはPRBインデックスが2*mであることを示す。
【０１１８】
上記の説明によれば、一例では、RIVの計算式は、以下の通りであり得る。
RIV=3*RBstart+L-1
式中、RBstartは、基地局によってUEに割り振られた周波数リソースの開始VRBまたは開始PRBのインデックスであり、インデックスは2*nに等しく、Lは割り振られた連続するSRBGの量であり、L=n+1である。
【０１１９】
UEは、基地局によって送信された指示情報を受信すると、RIVのものであり、指示情報によって示される値に基づいて、ダウンリンクデータ送信中に基地局によって使用される周波数領域リソースL、および開始位置に対応するVRBまたはPRBインデックスRBstartを推論してもよい。UEは、RIV/6の値mおよび余剰nを使用して、Lの値および2*mの値、言い換えれば、割り振られた連続するSRBGの量、および開始VRBまたはPRBインデックスを取得してもよい。このようにして、sTTIシステムにおいて、基地局によってユーザに割り振られる周波数領域リソースが増加し、タイプ2が複数の連続したRBGを示すとき、上記の計算方法を使用して、基地局によってユーザに周波数領域リソースを割り振り、DCIの柔軟性および信頼性を向上させ得る。
【０１２０】
プリコーディングは、層対アンテナポートのマッピングであるので、1つの層が複数のアンテナポートにマッピングされるとき、プリコーディングはベクトルであってもよく、複数の層がより多くのアンテナポートにマッピングされるとき、プリコーディングは行列であってもよい。共通基準信号(Common Reference Signal、CRS)に基づいてチャネル推定を行うとき、ユーザは、CRSに基づいて元のチャネルのみを推定することができる。この場合、UEは、ダウンリンク送信中にデータにおいて実行されるすべての変換を学習する前に、基地局のプリコーディングを知っておく必要があり、逆変換を1つずつ実行して元のデータを取得する。
【０１２１】
したがって、DCIに含まれる指示情報は、プリコーディングインジケータ(以下のテーブルのインデックスにマッピングされたビットフィールド)をさらに含んでいてもよい。プリコーディングインジケータは、特定のUEに対してダウンリンク送信中に使用されるプリコーディングを示すために、基地局によって使用される。プリコーディングは、送信層の数量に応じて、プリコーディングベクトルまたはプリコーディング行列であってもよい。プリコーディングインジケータを受信した後、ユーザは、現在のダウンリンク送信中の有効にされたコードワードの量、およびあらかじめ定義されたテーブルに基づいて、ダウンリンク送信中に基地局によって使用されるプリコーディングを決定する。既存のLTEシステムでは、2つのアンテナポートを有するUEの場合、基地局が1つのコードワードを有効にした場合、2層の送信ダイバーシティのみ、またはプリコーディングベースの1層の送信を使用することができ、または、基地局が2つのコードワードを有効にした場合、表8に示されるように、2層の送信のみを使用することができる。
【０１２２】
【表８Ａ】
2021503838.tif 000011
【表８Ｂ】
2021503838.tif 000012
【０１２３】
4つのアンテナポートを有するUEの場合、基地局が1つのコードワードを有効にした場合、4層の送信ダイバーシティ、またはプリコーディングベースの1層/2層の送信のみを使用することができる。基地局が2つのコードワードを有効にした場合、表9に示されるように、3層/4層の送信のみを使用することができる。
【０１２４】
【表９Ａ】
2021503838.tif 000013
【表９Ｂ】
2021503838.tif 000014
【０１２５】
M層によって使用されるプリコーディング、TPMI=N(ここで、Mは1以上4以下、Nは0以上15以下)が表10に基づいて計算される。
【０１２６】
【表１０】
2021503838.tif 000015
【０１２７】
【数２】
2021503838.tif 000016
【０１２８】
および
【０１２９】
【数３】
2021503838.tif 000017
【０１３０】
は、行列Wnの第s番目の列である。
【０１３１】
sTTIシステムのダウンリンク送信では、1つのコードワードのみを有効にすることが可能であるが、使用できる層の最大数はアンテナポートの数量と同じである。したがって、表8および表9では、2つのコードワードが有効にされているとき、プリコーディングインジケータとメッセージとの間の対応関係は使用されない。したがって、sTTIシステムでは、コードワードのそのような変更のために、元のプリコーディングテーブルを再設計する必要がある。したがって、本出願の一実施形態は、ダウンリンク制御情報を送信するための方法をさらに提供し、その方法は、sTTIシステムに適用されてもよい。ネットワークデバイスが基地局であり、端末デバイスがUEであることが一例として使用されている。図10Aに示すように、方法は、以下のステップを含む。
【０１３２】
10A1。基地局はDCIを生成し、DCIは指示情報を含み、指示情報は、ダウンリンクデータ送信中に基地局によって使用されるプリコーディングを示すために使用される。
【０１３３】
指示情報は、プリコーディングインジケータと呼ばれることもある。指示情報と使用されているプリコーディングとの間の対応関係のあらかじめ定義されたテーブルが、ネットワークデバイスと端末デバイスの両方に存在する。基地局は、UEとの間で実行されるダウンリンクデータ送信中に使用されるプリコーディングを決定すると、DCIを生成し、ここで、DCIは、指示情報を搬送し、UEは、指示情報に基づいて、ダウンリンクデータ送信中に基地局によって使用されるプリコーディングを決定する。
【０１３４】
プリコーディングと指示情報との間の関係については、ステップ10A4の後に記載される。
【０１３５】
10A2。基地局は、DCIを送信する。
【０１３６】
10A3。UEは、DCIを受信する。
【０１３７】
10A4。UEは、DCI内の指示情報に基づいて、ダウンリンクデータ送信中に基地局によって使用されるプリコーディングを決定する。
【０１３８】
UEは、ダウンリンクデータ送信中に基地局によって使用されるプリコーディングを決定し、ダウンリンクデータを受信した後、プリコーディングに基づいて、ダウンリンク送信中のデータを復調することができる。
【０１３９】
一例では、ダウンリンクデータ送信中にコードワードが1つしかないとき、最大2つのアンテナポートの送信をサポートするUEの指示情報と使用されるプリコーディングとの間の対応関係のあらかじめ定義されたテーブルが表11に示され得る。
【０１４０】
【表１１】
2021503838.tif 000018
【０１４１】
表11の指示情報の指示範囲は、少なくとも上記の10のスキームを含み、別のスキームをさらに含んでもよいことに留意されたい。これは、本出願では限定されない。表11を参照すると、
第1のスキームでは、プリコーディングスキームは、2層の送信ダイバーシティであり、
第2のスキームでは、プリコーディングスキームは1層の送信であり、プリコーディングベクトル
【０１４２】
【数４】
2021503838.tif 000019
【０１４３】
が使用され、
第3のスキームでは、プリコーディングスキームは1層の送信であり、プリコーディングベクトル
【０１４４】
【数５】
2021503838.tif 000020
【０１４５】
が使用され、
第4のスキームでは、プリコーディングスキームは1層の送信であり、プリコーディングベクトル
【０１４６】
【数６】
2021503838.tif 000021
【０１４７】
が使用され、
第5のスキームでは、プリコーディングスキームは1層の送信であり、プリコーディングベクトル
【０１４８】
【数７】
2021503838.tif 000022
【０１４９】
が使用され、
第6のスキームでは、プリコーディングスキームは1層の送信であり、使用されるプリコーディングベクトルは、PUSCH上で搬送された最新のプリコーディング行列インジケータ(Precoding Matrix Indication、PMI)によって報告されたプリコーディングであり、報告されたランクインジケータ(Rank Indication、RI)=2である場合、
【０１５０】
【数８】
2021503838.tif 000023
【０１５１】
×PMIによって示されたプリコーディング行列の第1の列がプリコーディングとして使用され、
第7のスキームでは、プリコーディングスキームは、1層の送信であり、使用されるプリコーディングベクトルは、PUSCH上で搬送される最新のPMIによって報告されたプリコーディングであり、報告されたRI=2である場合、
【０１５２】
【数９】
2021503838.tif 000024
【０１５３】
×PMIによって示されるプリコーディング行列の第2の列がプリコーディングとして使用され、
第8のスキームでは、プリコーディングスキームは2層の送信であり、プリコーディング行列
【０１５４】
【数１０】
2021503838.tif 000025
【０１５５】
が使用され、
第9のスキームでは、プリコーディングスキームは2層の送信であり、プリコーディング行列
【０１５６】
【数１１】
2021503838.tif 000026
【０１５７】
が使用され、
第10のスキームでは、プリコーディングスキームは2層の送信であり、使用されるプリコーディングベクトルは、PUSCH上で搬送される最新のPMIによって報告されるプリコーディングである。
【０１５８】
表11では、実際には表8の2つの列を削除することなく1つの列にマージしている。スキームの利点は以下の通りである。基地局がUEについて1つのコードワードのみをスケジュールすることができるとき、基地局は、プリコーディング選択の柔軟性を低下させることなく、UEにサービスを提供するために2層のプリコーディングを依然として使用することができ、システム伝送効率を維持することができる。
【０１５９】
一例では、ダウンリンクデータ送信中にコードワードが1つしかないとき、最大2つのアンテナポートの送信をサポートするUEの指示情報と使用されるプリコーディングとの間の対応関係のあらかじめ定義されたテーブルが代替的に表12に示され得る。
【０１６０】
【表１２】
2021503838.tif 000027
【０１６１】
表12の指示情報の指示範囲は、少なくとも上記の8つのスキームを含み、別のスキームをさらに含んでもよいことに留意されたい。これは、本出願では限定されない。表12を参照すると、
第1のスキームでは、プリコーディングスキームは、2層の送信ダイバーシティであり、
第2のスキームでは、プリコーディングスキームは1層の送信であり、プリコーディングベクトル
【０１６２】
【数１２】
2021503838.tif 000028
【０１６３】
が使用され、
第3のスキームでは、プリコーディングスキームは1層の送信であり、プリコーディングベクトル
【０１６４】
【数１３】
2021503838.tif 000029
【０１６５】
が使用され、
第4のスキームでは、プリコーディングスキームは1層の送信であり、プリコーディングベクトル
【０１６６】
【数１４】
2021503838.tif 000030
【０１６７】
が使用され、
第5のスキームでは、プリコーディングスキームは1層の送信であり、プリコーディングベクトル
【０１６８】
【数１５】
2021503838.tif 000031
【０１６９】
が使用され、
第6のスキームでは、プリコーディングスキームは2層の送信であり、プリコーディング行列
【０１７０】
【数１６】
2021503838.tif 000032
【０１７１】
が使用され、
第7のスキームでは、プリコーディングスキームは2層の送信であり、プリコーディング行列
【０１７２】
【数１７】
2021503838.tif 000033
【０１７３】
が使用され、
第8のスキームでは、プリコーディングスキームは2層の送信であり、使用されるプリコーディングベクトルは、PUSCH上で搬送される最新のPMIによって報告されるプリコーディングである。
【０１７４】
表12は、実際には表8の2つの列を1つの列にマージし、指示情報が3ビットであることを維持するために、報告されたPMIに基づいてプリコーディングを決定する3つのオリジナルスキームが1つにマージされている。スキームの利点は以下の通りである。基地局がUEについて1つのコードワードのみをスケジュールすることができるとき、基地局は、プリコーディング選択の柔軟性を低下させることなく、UEにサービスを提供するために2層のプリコーディングを依然として使用することができ、DCIオーバーヘッドを変更しないままで、システム伝送効率を維持することができる。
【０１７５】
一例では、ダウンリンクデータ送信中にコードワードが1つしかないとき、最大4つのアンテナポートの送信をサポートするUEの指示情報と使用されるプリコーディングとの間の対応関係のあらかじめ定義されたテーブルが表13に示され得る。
【０１７６】
【表１３】
2021503838.tif 000034
【０１７７】
表13の指示情報の指示範囲は、少なくとも上記の69のスキームを含み、別のスキームをさらに含んでもよいことに留意されたい。これは、本出願では限定されない。表13を参照すると、
第1のスキームでは、プリコーディングスキームは、4層の送信ダイバーシティであり、
第2〜第17のスキームでは、プリコーディングスキームは、1層の送信であり、使用されるプリコーディングベクトルは、あらかじめ定義されたTPMI0〜15であり、
第18のスキームでは、プリコーディングスキームは1層の送信であり、使用されるプリコーディングベクトルは、PUSCH上で搬送される最新のPMIによって報告されるプリコーディングであり、
第19〜第34のスキームでは、プリコーディングスキームは、2層の送信であり、使用されるプリコーディングベクトルは、あらかじめ定義されたTPMI0〜15であり、
第35のスキームでは、プリコーディングスキームは2層の送信であり、使用されるプリコーディングベクトルは、PUSCH上で搬送される最新のPMIによって報告されるプリコーディングである。
第36〜第51のスキームでは、プリコーディングスキームは、3層の送信であり、使用されるプリコーディングベクトルは、あらかじめ定義されたTPMI0〜15であり、
第52のスキームでは、プリコーディングスキームは3層の送信であり、使用されるプリコーディングベクトルは、PUSCH上で搬送される最新のPMIによって報告されるプリコーディングである。
第53〜第68のスキームでは、プリコーディングスキームは、4層の送信であり、使用されるプリコーディングベクトルは、あらかじめ定義されたTPMI0〜15であり、
第69のスキームでは、プリコーディングスキームは4層の送信であり、使用されるプリコーディングベクトルは、PUSCH上で搬送される最新のPMIによって報告されるプリコーディングである。
【０１７８】
表13では、実際には表9の2つの列を削除することなく1つの列にマージしている。スキームの利点は以下の通りである。基地局がUEについて2つのコードワードのみをスケジュールすることができるとき、基地局は、プリコーディング選択の柔軟性を低下させることなく、UEにサービスを提供するために4層のプリコーディングを依然として使用することができ、システム伝送効率を維持することができる。
【０１７９】
一例では、ダウンリンクデータ送信中にコードワードが1つしかないとき、最大4つのアンテナポートの送信をサポートするUEの指示情報と使用されるプリコーディングとの間の対応関係のあらかじめ定義されたテーブルが表14に示され得る。
【０１８０】
【表１４】
2021503838.tif 000035
【０１８１】
a0〜a7の値は、整数0〜15の範囲であり、互いに異なる。たとえば、a0=0、a1=1、…、およびa7=7である。
【０１８２】
表14の指示情報の指示範囲は、少なくとも上記の61のスキームを含み、別のスキームをさらに含んでもよいことに留意されたい。これは、本出願では限定されない。表14を参照すると、
第1のスキームでは、プリコーディングスキームは、4層の送信ダイバーシティであり、
第2〜第9のスキームでは、プリコーディングスキームは、1層の送信であり、使用されるプリコーディングベクトルは、あらかじめ定義されたTPMI a0〜a7であり、
第10のスキームでは、プリコーディングスキームは1層の送信であり、使用されるプリコーディングベクトルは、PUSCH上で搬送される最新のPMIによって報告されるプリコーディングであり、
第11〜第26のスキームでは、プリコーディングスキームは、2層の送信であり、使用されるプリコーディングベクトルは、あらかじめ定義されたTPMI0〜15であり、
第27のスキームでは、プリコーディングスキームは2層の送信であり、使用されるプリコーディングベクトルは、PUSCH上で搬送される最新のPMIによって報告されるプリコーディングであり、
第28〜第43のスキームでは、プリコーディングスキームは、3層の送信であり、使用されるプリコーディングベクトルは、あらかじめ定義されたTPMI0〜15であり、
第44のスキームでは、プリコーディングスキームは3層の送信であり、使用されるプリコーディングベクトルは、PUSCH上で搬送される最新のPMIによって報告されるプリコーディングであり、
第45〜第60のスキームでは、プリコーディングスキームは、4層の送信であり、使用されるプリコーディングベクトルは、あらかじめ定義されたTPMI0〜15であり、
第61のスキームでは、プリコーディングスキームは4層の送信であり、使用されるプリコーディングベクトルは、PUSCH上で搬送される最新のPMIによって報告されるプリコーディングである。
【０１８３】
表14は、実際には表8の2つの列を1つの列にマージし、指示情報が6ビットであることを維持するために、元の16のプリコーディングベースの1層の送信スキームは8つに低減される。スキームの利点は以下の通りである。基地局がUEについて1つのコードワードのみをスケジュールすることができるとき、基地局は、プリコーディング選択の柔軟性を低下させることなく、UEにサービスを提供するために4層のプリコーディングを依然として使用することができ、DCIオーバーヘッドを変更しないままで、システム伝送効率を維持することができる。
【０１８４】
一例では、ダウンリンクデータ送信中にコードワードが1つしかないとき、最大4つのアンテナポートの送信をサポートするUEの指示情報と使用されるプリコーディングとの間の対応関係のあらかじめ定義されたテーブルが表15に示され得る。
【０１８５】
【表１５】
2021503838.tif 000036
【０１８６】
a0〜a7の値は、整数0〜15の範囲であり、互いに異なる。たとえば、a0=0、a1=1、…、およびa7=7である。
【０１８７】
表15の指示情報の指示範囲は、少なくとも上記の61のスキームを含み、別のスキームをさらに含んでもよいことに留意されたい。これは、本出願では限定されない。表15を参照すると、
第1のスキームでは、プリコーディングスキームは、4層の送信ダイバーシティであり、
第2〜第16のスキームでは、プリコーディングスキームは、1層の送信であり、使用されるプリコーディングベクトルは、あらかじめ定義されたTPMI0〜15であり、
第17のスキームでは、プリコーディングスキームは1層の送信であり、使用されるプリコーディングベクトルは、PUSCH上で搬送される最新のPMIによって報告されるプリコーディングであり、
第18〜第26のスキームでは、プリコーディングスキームは、2層の送信であり、使用されるプリコーディングベクトルは、あらかじめ定義されたTPMI a0〜a7であり、
第27のスキームでは、プリコーディングスキームは2層の送信であり、使用されるプリコーディングベクトルは、PUSCH上で搬送される最新のPMIによって報告されるプリコーディングであり、
第28〜第43のスキームでは、プリコーディングスキームは、3層の送信であり、使用されるプリコーディングベクトルは、あらかじめ定義されたTPMI0〜15であり、
第44のスキームでは、プリコーディングスキームは3層の送信であり、使用されるプリコーディングベクトルは、PUSCH上で搬送される最新のPMIによって報告されるプリコーディングであり、
第45〜第60のスキームでは、プリコーディングスキームは、4層の送信であり、使用されるプリコーディングベクトルは、あらかじめ定義されたTPMI0〜15であり、
第61のスキームでは、プリコーディングスキームは4層の送信であり、使用されるプリコーディングベクトルは、PUSCH上で搬送される最新のPMIによって報告されるプリコーディングである。
【０１８８】
表15は、実際には表8の2つの列を1つの列にマージし、指示情報が6ビットであることを維持するために、元の16のプリコーディングベースの2層の送信スキームは8つに低減される。スキームの利点は以下の通りである。基地局がUEについて1つのコードワードのみをスケジュールすることができるとき、基地局は、プリコーディング選択の柔軟性を低下させることなく、UEにサービスを提供するために4層のプリコーディングを依然として使用することができ、DCIオーバーヘッドを変更しないままで、システム伝送効率を維持することができる。
【０１８９】
一例では、ダウンリンクデータ送信中にコードワードが1つしかないとき、最大4つのアンテナポートの送信をサポートするUEの指示情報と使用されるプリコーディングとの間の対応関係のあらかじめ定義されたテーブルが代替的に表16に示され得る。
【０１９０】
【表１６】
2021503838.tif 000037
【０１９１】
a0〜a7の値は、整数0〜15の範囲であり、互いに異なる。たとえば、a0=0、a1=1、…、およびa7=7である。
【０１９２】
表16の指示情報の指示範囲は、少なくとも上記の61のスキームを含み、別のスキームをさらに含んでもよいことに留意されたい。これは、本出願では限定されない。表16を参照すると、
第1のスキームでは、プリコーディングスキームは、4層の送信ダイバーシティであり、
第2〜第16のスキームでは、プリコーディングスキームは、1層の送信であり、使用されるプリコーディングベクトルは、あらかじめ定義されたTPMI0〜15であり、
第17のスキームでは、プリコーディングスキームは1層の送信であり、使用されるプリコーディングベクトルは、PUSCH上で搬送される最新のPMIによって報告されるプリコーディングであり、
第18〜第34のスキームでは、プリコーディングスキームは、2層の送信であり、使用されるプリコーディングベクトルは、あらかじめ定義されたTPMI0〜15であり、
第35のスキームでは、プリコーディングスキームは2層の送信であり、使用されるプリコーディングベクトルは、PUSCH上で搬送される最新のPMIによって報告されるプリコーディングであり、
第36〜第43のスキームでは、プリコーディングスキームは、3層の送信であり、使用されるプリコーディングベクトルは、あらかじめ定義されたTPMI a0〜a7であり、
第44のスキームでは、プリコーディングスキームは3層の送信であり、使用されるプリコーディングベクトルは、PUSCH上で搬送される最新のPMIによって報告されるプリコーディングであり、
第45〜第60のスキームでは、プリコーディングスキームは、4層の送信であり、使用されるプリコーディングベクトルは、あらかじめ定義されたTPMI0〜15であり、
第61のスキームでは、プリコーディングスキームは4層の送信であり、使用されるプリコーディングベクトルは、PUSCH上で搬送される最新のPMIによって報告されるプリコーディングである。
【０１９３】
表16は、実際には表8の2つの列を1つの列にマージし、指示情報が6ビットであることを維持するために、元の16のプリコーディングベースの3層の送信スキームは8つに低減される。スキームの利点は以下の通りである。基地局がUEについて1つのコードワードのみをスケジュールすることができるとき、基地局は、プリコーディング選択の柔軟性を低下させることなく、UEにサービスを提供するために4層のプリコーディングを依然として使用することができ、DCIオーバーヘッドを変更しないままで、システム伝送効率を維持することができる。
【０１９４】
一例では、ダウンリンクデータ送信中にコードワードが1つしかないとき、最大4つのアンテナポートの送信をサポートするUEの指示情報と使用されるプリコーディングとの間の対応関係のあらかじめ定義されたテーブルが代替的に表17に示され得る。
【０１９５】
【表１７】
2021503838.tif 000038
【０１９６】
a0〜a7の値は、整数0〜15の範囲であり、互いに異なる。たとえば、a0=0、a1=1、…、およびa7=7である。
【０１９７】
表17の指示情報の指示範囲は、少なくとも上記の61のスキームを含み、別のスキームをさらに含んでもよいことに留意されたい。これは、本出願では限定されない。表17を参照すると、
第1のスキームでは、プリコーディングスキームは、4層の送信ダイバーシティであり、
第2〜第16のスキームでは、プリコーディングスキームは、1層の送信であり、使用されるプリコーディングベクトルは、あらかじめ定義されたTPMI0〜15であり、
第17のスキームでは、プリコーディングスキームは1層の送信であり、使用されるプリコーディングベクトルは、PUSCH上で搬送される最新のPMIによって報告されるプリコーディングであり、
第18〜第34のスキームでは、プリコーディングスキームは、2層の送信であり、使用されるプリコーディングベクトルは、あらかじめ定義されたTPMI0〜15であり、
第35のスキームでは、プリコーディングスキームは2層の送信であり、使用されるプリコーディングベクトルは、PUSCH上で搬送される最新のPMIによって報告されるプリコーディングであり、
第36〜第51のスキームでは、プリコーディングスキームは、3層の送信であり、使用されるプリコーディングベクトルは、あらかじめ定義されたTPMI a0〜a7であり、
第52のスキームでは、プリコーディングスキームは3層の送信であり、使用されるプリコーディングベクトルは、PUSCH上で搬送される最新のPMIによって報告されるプリコーディングであり、
第53〜第60スキームでは、プリコーディングスキームは、4層の送信であり、使用されるプリコーディングベクトルは、あらかじめ定義されたTPMI a0〜a7であり、
第61のスキームでは、プリコーディングスキームは4層の送信であり、使用されるプリコーディングベクトルは、PUSCH上で搬送される最新のPMIによって報告されるプリコーディングである。
【０１９８】
表17は、実際には表8の2つの列を1つの列にマージし、指示情報が6ビットであることを維持するために、元の16のプリコーディングベースの4層の送信スキームは8つに低減される。スキームの利点は以下の通りである。基地局がUEについて1つのコードワードのみをスケジュールすることができるとき、基地局は、プリコーディング選択の柔軟性を低下させることなく、UEにサービスを提供するために4層のプリコーディングを依然として使用することができ、DCIオーバーヘッドを変更しないままで、システム伝送効率を維持することができる。
【０１９９】
本出願の実施形態で提供される解決策について、主に、ネットワーク要素間の相互作用の観点から説明した。上記の機能を実装するために、ネットワークデバイスおよび端末デバイスなどのネットワーク要素は、機能を実行するための対応するハードウェア構造および/またはソフトウェアモジュールを含むことが理解されよう。当業者であれば、本明細書に開示された実施形態を参照して説明した例のユニットおよびアルゴリズムステップは、本出願において、ハードウェアの形態で、またはハードウェアとコンピュータソフトウェアとの組合せの形態で実装されてもよいことを容易に認識されたい。機能がハードウェアによって実行されるか、ハードウェアを駆動するコンピュータソフトウェアによって実行されるかは、特定の用途および技術的解決策の設計制約に依存する。当業者は、各特定の適用について記載された機能を実施するために異なる方法を使用する場合があるが、その実施が本出願の範囲を超えると見なされないものとする。
【０２００】
本出願の実施形態では、ネットワークデバイス、端末デバイスなどの機能モジュールは、上記の方法例に基づいて分割されてもよい。たとえば、各機能モジュールが、対応する各機能に基づいて分割を介して取得されてもよく、または2つ以上の機能が、1つの処理モジュールに統合されてもよい。統合されたモジュールは、ハードウェアの形態で実装されていてもよく、またはソフトウェアの機能モジュールの形態で実装されていてもよい。本出願の実施形態におけるモジュール分割は一例であり、単なる論理的機能分割であることに留意されたい。実際の実施形態では、別の分割方法がある可能性がある。
【０２０１】
各機能モジュールが、各対応する機能に基づく分割を介して取得されるとき、図11は、上記の実施形態による端末デバイスの可能な概略構造図である。端末デバイス11は、トランシーバユニット111、処理ユニット112、および記憶ユニット113を含む。トランシーバユニット111は、図8のプロセス803、図10のプロセス103、および図10Aのプロセス10A3を実行する際に端末デバイスをサポートするように構成されている。処理ユニット102は、図8のプロセス804、図10Aのプロセス10A4、および図10のプロセス104を実行する際に端末デバイスをサポートするように構成されている。記憶ユニット103は、本出願の方法においてステップ803および804を実行するためのアプリケーションプログラム、データなどを記憶してもよく、データは、本出願の方法において新たに構成された表4、表5、表6、および表7のうちの少なくとも1つを含み、および/または、本出願の方法においてステップ103および104を実行するためのアプリケーションプログラム、計算式などを記憶してもよい。対応する機能モジュールの機能説明については、上記の方法実施形態のステップに関連する任意のコンテンツ、および新たに構成されたテーブルを参照されたい。詳細は、本明細書では再度説明しない。
【０２０２】
統合されたユニットが使用されるとき、図12は、上記の実施形態による端末デバイスの可能な概略構造図である。端末デバイス12は、処理モジュール1202および通信モジュール1203を含む。処理モジュール1202は、端末デバイスのアクションを制御し、管理するように構成されている。たとえば、処理モジュール1202は、図8のプロセス804、図10のプロセス104、および図10Aのプロセス10A4を実行する際に端末デバイスをサポートするように構成され、および/または本明細書に記載の技術の別のプロセスを実行するように構成されている。通信モジュール1203は、たとえば、図5に示すネットワークデバイスと通信するなど、別のネットワークエンティティと通信する際に、端末デバイスをサポートするように構成されている。端末デバイス12は、端末デバイスのプログラムコードおよびデータを記憶するように構成された記憶モジュール1201をさらに含んでもよく、ここで、プログラムコードは、本出願の方法におけるステップ803および804、図10のステップ103および104、ならびに図10Aのステップ10A3および10A4を実行するために使用されてもよく、データは、本出願において、新たに構成された表4、表5、表6、表7〜表17のうちの少なくとも1つを含み、および/または、本出願の方法において、ステップ103および104において、アプリケーションプログラム、計算式などを記憶する。
【０２０３】
処理モジュール1202は、プロセッサまたはコントローラであってもよく、たとえば、中央処理ユニット(Central Processing Unit、CPU)、汎用プロセッサ、デジタル信号プロセッサ(Digital Signal Processor、DSP)、特定用途向け集積回路(Application-Specific Integrated Circuit、ASIC)、フィールドプログラマブルゲートアレイ(Field Programmable Gate Array、FPGA)、または別のプログラマブル論理デバイス、トランジスタ論理デバイス、ハードウェア構成要素、またはそれらの任意の組合せでもよい。本出願で開示された内容を参照して説明した様々な例示的な論理ブロック、モジュール、および回路を実装または実行し得る。プロセッサはまた、コンピューティング機能を実装する組合せ、たとえば、1つまたは複数のマイクロプロセッサを含む組合せ、またはDSPとマイクロプロセッサとの組合せであってもよい。通信モジュール1203は、トランシーバ、トランシーバ回路、通信インターフェースなどであってもよい。記憶モジュール1201は、メモリであってもよい。
【０２０４】
処理モジュール1202がプロセッサであり、通信モジュール1203がトランシーバであり、記憶モジュール1201がメモリであるとき、本出願の本実施形態における端末デバイスは、図13に示される端末デバイスであってもよい。
【０２０５】
図13を参照すると、端末デバイス13は、プロセッサ1312、トランシーバ1313、メモリ1311、およびバス1314を含む。トランシーバ1313、プロセッサ1312、およびメモリ1311は、バス1314を使用して互いに接続されている。バス1314は、周辺構成要素相互接続(Peripheral Component Interconnect、PCI)バス、拡張業界標準アーキテクチャ(Extended Industry Standard Architecture、EISA)バスなどであってもよい。バスは、アドレスバス、データバス、制御バスなどに分類されてもよい。表現を容易にするために、図13では、太線を1本のみ使用してバスを表しているが、これは、バスが1つしかないことを意味するものではなく、また、バスの種類が1つしかないことを意味するものでもない。
【０２０６】
各機能モジュールが、各対応する機能に基づく分割を介して取得されるとき、図14は、上記の実施形態によるネットワークデバイスの可能な概略構造図である。ネットワークデバイス14は、処理ユニット1401、トランシーバユニット1402、および記憶ユニット1403を含む。処理ユニット1401は、図8のプロセス801、および図10のプロセス101を実行する際にネットワークデバイスをサポートするように構成されている。トランシーバユニット1402は、図8のプロセス802および図10のプロセス102を実行する際にネットワークデバイスをサポートするように構成されている。記憶ユニット1403は、アプリケーションプログラムおよびデータを記憶するように構成されており、たとえば、ステップ801および802に対応するアプリケーションプログラム、ならびに表4、表5、表6、および表7〜表17のうちの少なくとも1つを記憶し、ならびに/またはステップ101および102に対応するアプリケーションプログラム、関連する計算式などを記憶するように構成されている。対応する機能モジュールの機能説明については、上記の方法実施形態のステップに関連する任意のコンテンツを参照されたい。詳細は、本明細書では再度説明しない。
【０２０７】
統合されたユニットが使用されるとき、図15は、上記の実施形態によるネットワークデバイスの可能な概略構造図である。ネットワークデバイス15は、処理モジュール1502および通信モジュール1503を含む。処理モジュール1502は、ネットワークデバイスのアクションを制御し、管理するように構成されている。たとえば、処理モジュール1502は、図8のプロセス801および図10のプロセス104を実行する際にネットワークデバイスをサポートするように構成され、および/または、本明細書に記載の技術の別のプロセスを実行するように構成されている。通信モジュール1503は、たとえば、図5に示す端末デバイスと通信するなど、別のネットワークエンティティと通信する際に、ネットワークデバイスをサポートするように構成されている。ネットワークデバイスは、たとえば、ステップ801および802に対応するアプリケーションプログラム、ならびに表4、表5、表6、表7〜表17のうちの少なくとも1つ、ならびに/または図10のステップ101および102に対応するアプリケーションプログラム、関連する計算式などを記憶するなど、ネットワークデバイスのプログラムコードおよびデータを記憶するように構成された記憶モジュール1501をさらに含んでもよい。
【０２０８】
処理モジュール1502は、プロセッサまたはコントローラであってもよく、たとえば、CPU、汎用プロセッサ、DSP、ASIC、FPGAまたは別のプログラミングロジックデバイス、トランジスタ論理デバイス、ハードウェア構成要素、あるいはそれらの任意の組合せであってもよい。本出願で開示された内容を参照して説明した様々な例示的な論理ブロック、モジュール、および回路を実装または実行し得る。プロセッサはまた、コンピューティング機能を実装する組合せ、たとえば、1つまたは複数のマイクロプロセッサを含む組合せ、あるいはDSPとマイクロプロセッサとの組合せであってもよい。通信モジュール1503は、トランシーバ、トランシーバ回路、通信インターフェースなどであってもよい。記憶モジュール1501は、メモリであってもよい。
【０２０９】
処理モジュール1502がプロセッサであり、通信モジュール1503がトランシーバであり、記憶モジュール1501がメモリであるとき、本出願の本実施形態におけるネットワークデバイスは、図16に示されるネットワークデバイスであってもよい。
【０２１０】
図16を参照すると、ネットワークデバイス16は、プロセッサ1602、トランシーバ1603、メモリ1601、およびバス1604を含む。トランシーバ1603、プロセッサ1602、およびメモリ1601は、バス1604を使用して互いに接続されている。バス1604は、PCIバス、EISAバスなどであってもよい。バスは、アドレスバス、データバス、制御バスなどに分類されてもよい。表現を容易にするために、図16では、太線を1本のみ使用してバスを表しているが、これは、バスが1つしかないことを意味するものではなく、また、バスの種類が1つしかないことを意味するものでもない。
【０２１１】
本出願で開示された内容と組み合わせて記載された方法またはアルゴリズムのステップは、ハードウェアによって実装されてもよく、またはソフトウェア命令を実行することによってプロセッサによって実装されてもよい。ソフトウェア命令は、対応するソフトウェアモジュールを含んでもよい。ソフトウェアモジュールは、ランダムアクセスメモリ(Random Access Memory、RAM)、フラッシュメモリ、読取り専用メモリ(Read-Only Memory、ROM)、消去可能プログラマブル読取り専用メモリ(Erasable Programmable ROM、EPROM)、電気的消去可能プログラマブル読取り専用メモリ(Electrically EPROM、EEPROM)、レジスタ、ハードディスク、リムーバブルハードディスク、コンパクトディスク読取り専用メモリ(CD-ROM)、または当技術分野でよく知られている任意の他の形態の記憶媒体に記憶されていてもよい。たとえば、記憶媒体は、プロセッサに結合されており、したがって、プロセッサが記憶媒体から情報を読み取る、または記憶媒体に情報を書き込むことができる。もちろん、記憶媒体は、プロセッサの構成要素であってもよい。プロセッサおよび記憶媒体は、ASIC内に配置されていてもよい。さらに、ASICは、コアネットワークインターフェースデバイス内に配置されていてもよい。もちろん、プロセッサおよび記憶媒体は、コアネットワークインターフェースデバイス内に個別構成要素として存在してもよい。
【０２１２】
当業者であれば、上記の1つまたは複数の例において、本出願に記載された機能は、ハードウェア、ソフトウェア、ファームウェア、またはそれらの任意の組合せによって実装されてもよいことを認識されたい。本発明がソフトウェアによって実施されるとき、上記の機能は、コンピュータ可読媒体に記憶されてもよく、コンピュータ可読媒体内の1つまたは複数の命令またはコードとして送信されてもよい。コンピュータ可読媒体は、コンピュータ記憶媒体および通信媒体を含み、ここで、通信媒体は、コンピュータプログラムをある場所から別の場所に送信することを可能にする任意の媒体を含む。記憶媒体は、汎用コンピュータまたは専用コンピュータにとってアクセス可能な任意の利用可能な媒体であってもよい。
【０２１３】
上記の説明は、本出願の単なる特定の実装形態であるが、本出願の保護範囲を限定することを意図するものではない。本出願に開示された技術的範囲内の任意の変形または置換は、本出願の保護範囲内に含まれるものとする。したがって、本出願の保護範囲は、特許請求の範囲の保護範囲に従うものとする。
【符号の説明】
【０２１４】
11,12,13  端末デバイス
14,15,16  ネットワークデバイス
102  処理ユニット
103  記憶ユニット
111  トランシーバユニット
112  処理ユニット
113  記憶ユニット
200  基地局
700  携帯電話
710  無線周波数回路
720  メモリ
730  別の入力デバイス
740  ディスプレイ画面
741  表示パネル
742  タッチパネル
750  センサ
760  オーディオ回路
770  I/Oサブシステム
780  プロセッサ
790  電源
1201  記憶モジュール
1202  処理モジュール
1203  通信モジュール
1311  メモリ
1312  プロセッサ
1313  トランシーバ
1314  バス
1401  処理ユニット
1402  トランシーバユニット
1403  記憶ユニット
1501  記憶モジュール
1502  処理モジュール
1503  通信モジュール
1601  メモリ
1602  プロセッサ
1603  トランシーバ
1604  バス
【図１】
2021503838.tif 000039
【図２】
2021503838.tif 000040
【図３】
2021503838.tif 000041
【図４】
2021503838.tif 000042
【図５】
2021503838.tif 000043
【図６】
2021503838.tif 000044
【図７】
2021503838.tif 000045
【図８】
2021503838.tif 000046
【図９】
2021503838.tif 000047
【図１０】
2021503838.tif 000048
【図１０Ａ】
2021503838.tif 000049
【図１１】
2021503838.tif 000050
【図１２】
2021503838.tif 000051
【図１３】
2021503838.tif 000052
【図１４】
2021503838.tif 000053
【図１５】
2021503838.tif 000054
【図１６】
2021503838.tif 000055
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
ダウンリンク制御情報を受信するための方法であって、
1つのコードワードを使用してダウンリンクデータをスケジューリングするためのダウンリンク制御情報、DCIを受信するステップであり、前記DCIは指示情報を含み、前記指示情報は、前記ダウンリンクデータの層の数量、および前記ダウンリンクデータの1つまたは複数のアンテナポートを示すために使用され、前記指示情報の値は、セットに属し、前記セットは、
前記ダウンリンクデータの前記層の数量が2であり、前記ダウンリンクデータの前記アンテナポートがxおよびzであることを示す第1の値と、
前記ダウンリンクデータの前記層の数量が2であり、前記ダウンリンクデータの前記アンテナポートがyおよびwであり、x、y、zおよびwが互いに異なることを示す第2の値とを含む、ステップと、
前記指示情報に基づいて、前記ダウンリンクデータの前記層の数量、および前記ダウンリンクデータの前記1つまたは複数のアンテナポートを決定するステップと
を含む方法。
【請求項２】
前記セットは、
前記ダウンリンクデータの前記層の数量が1であり、前記ダウンリンクデータの前記アンテナポートがxであることを示す第3の値と、
前記ダウンリンクデータの前記層の数量が1であり、前記ダウンリンクデータの前記アンテナポートがyであることを示す第4の値と、
前記ダウンリンクデータの前記層の数量が2であり、前記ダウンリンクデータの前記アンテナポートがxおよびyであることを示す第5の値と、
前記ダウンリンクデータの前記層の数量が3であり、前記ダウンリンクデータの前記アンテナポートがx、y、およびzであることを示す第6の値と、
前記ダウンリンクデータの前記層の数量が4であり、前記ダウンリンクデータの前記アンテナポートがx、y、z、およびwであることを示す第7の値と
を含む、請求項1に記載の方法。
【請求項３】
前記セットは第8の値を含み、前記第8の値は予約されている、請求項2に記載の方法。
【請求項４】
前記アンテナポートx、y、z、およびwは、復調基準信号のアンテナポートである、請求項1から3のいずれか一項に記載の方法。
【請求項５】
スケジュールされたダウンリンクデータを受信するステップ
をさらに含む請求項1から4のいずれか一項に記載の方法。
【請求項６】
ダウンリンク制御情報を送信するための方法であって、
1つのコードワードを使用してダウンリンクデータをスケジューリングするためのダウンリンク制御情報、DCIを生成するステップであり、前記DCIは指示情報を含み、前記指示情報は、前記ダウンリンクデータの層の数量、および前記ダウンリンクデータの1つまたは複数のアンテナポートを示すために使用され、前記指示情報の値は、セットに属し、前記セットは、
前記ダウンリンクデータの前記層の数量が2であり、前記ダウンリンクデータの前記アンテナポートがxおよびzであることを示す第1の値と、
前記ダウンリンクデータの前記層の数量が2であり、前記ダウンリンクデータの前記アンテナポートがyおよびwであり、x、y、zおよびwが互いに異なることを示す第2の値とを含む、ステップと、
前記DCIを送信するステップと
を含む方法。
【請求項７】
前記セットは、
前記ダウンリンクデータの前記層の数量が1であり、前記ダウンリンクデータの前記アンテナポートがxであることを示す第3の値と、
前記ダウンリンクデータの前記層の数量が1であり、前記ダウンリンクデータの前記アンテナポートがyであることを示す第4の値と、
前記ダウンリンクデータの前記層の数量が2であり、前記ダウンリンクデータの前記アンテナポートがxおよびyであることを示す第5の値と、
前記ダウンリンクデータの前記層の数量が3であり、前記ダウンリンクデータの前記アンテナポートがx、y、およびzであることを示す第6の値と、
前記ダウンリンクデータの前記層の数量が4であり、前記ダウンリンクデータの前記アンテナポートがx、y、z、およびwであることを示す第7の値と
を含む、請求項6に記載の方法。
【請求項８】
前記セットは第8の値を含み、前記第8の値は予約されている、請求項7に記載の方法。
【請求項９】
前記アンテナポートx、y、z、およびwは、復調基準信号のアンテナポートである、請求項6から8のいずれか一項に記載の方法。
【請求項１０】
スケジュールされたダウンリンクデータを送信するステップ
をさらに含む請求項6から9のいずれか一項に記載の方法。
【請求項１１】
少なくとも1つのプロセッサと、
前記少なくとも1つのプロセッサに結合され、前記少なくとも1つのプロセッサが実行するためのプログラミング命令を記憶するメモリとを含み、前記プログラミング命令は、前記少なくとも1つのプロセッサに、
トランシーバに、1つのコードワードを使用してダウンリンクデータをスケジューリングするためのダウンリンク制御情報、DCIを受信させることであり、前記DCIは指示情報を含み、前記指示情報は、前記ダウンリンクデータの層の数量、および前記ダウンリンクデータの1つまたは複数のアンテナポートを示すために使用され、前記指示情報の値は、セットに属し、前記セットは、
前記ダウンリンクデータの前記層の数量が2であり、前記ダウンリンクデータの前記アンテナポートがxおよびzであることを示す第1の値と、
前記ダウンリンクデータの前記層の数量が2であり、前記ダウンリンクデータの前記アンテナポートがyおよびwであり、x、y、zおよびwが互いに異なることを示す第2の値とを含む、受信させることと、
前記指示情報に基づいて、前記ダウンリンクデータの前記層の数量、および前記ダウンリンクデータの前記1つまたは複数のアンテナポートを決定することと
を行うよう指示する、
通信装置。
【請求項１２】
前記セットは、
前記ダウンリンクデータの前記層の数量が1であり、前記ダウンリンクデータの前記アンテナポートがxであることを示す第3の値と、
前記ダウンリンクデータの前記層の数量が1であり、前記ダウンリンクデータの前記アンテナポートがyであることを示す第4の値と、
前記ダウンリンクデータの前記層の数量が2であり、前記ダウンリンクデータの前記アンテナポートがxおよびyであることを示す第5の値と、
前記ダウンリンクデータの前記層の数量が3であり、前記ダウンリンクデータの前記アンテナポートがx、y、およびzであることを示す第6の値と、
前記ダウンリンクデータの前記層の数量が4であり、前記ダウンリンクデータの前記アンテナポートがx、y、z、およびwであることを示す第7の値と
を含む、請求項11に記載の通信装置。
【請求項１３】
前記セットは第8の値を含み、前記第8の値は予約されている、請求項12に記載の通信装置。
【請求項１４】
前記アンテナポートx、y、z、およびwは、復調基準信号のアンテナポートである、請求項11から13のいずれか一項に記載の通信装置。
【請求項１５】
前記プログラミング命令は、さらに、前記少なくとも1つのプロセッサに、
前記トランシーバに、スケジュールされたダウンリンクデータを受信させる
よう指示する、請求項11から14のいずれか一項に記載の通信装置。
【請求項１６】
少なくとも1つのプロセッサと、
前記少なくとも1つのプロセッサに結合され、前記少なくとも1つのプロセッサが実行するためのプログラミング命令を記憶するメモリとを含み、前記プログラミング命令は、前記少なくとも1つのプロセッサに、
1つのコードワードを使用してダウンリンクデータをスケジューリングするためのダウンリンク制御情報、DCIを生成することであり、前記DCIは指示情報を含み、前記指示情報は、前記ダウンリンクデータの層の数量、および前記ダウンリンクデータの1つまたは複数のアンテナポートを示すために使用され、前記指示情報の値は、セットに属し、前記セットは、
前記ダウンリンクデータの前記層の数量が2であり、前記ダウンリンクデータの前記アンテナポートがxおよびzであることを示す第1の値と、
前記ダウンリンクデータの前記層の数量が2であり、前記ダウンリンクデータの前記アンテナポートがyおよびwであり、x、y、zおよびwが互いに異なることを示す第2の値とを含む、生成することと、
トランシーバに、前記DCIを送信させることと
を行うよう指示する、
通信装置。
【請求項１７】
前記セットは、
前記ダウンリンクデータの前記層の数量が1であり、前記ダウンリンクデータの前記アンテナポートがxであることを示す第3の値と、
前記ダウンリンクデータの前記層の数量が1であり、前記ダウンリンクデータの前記アンテナポートがyであることを示す第4の値と、
前記ダウンリンクデータの前記層の数量が2であり、前記ダウンリンクデータの前記アンテナポートがxおよびyであることを示す第5の値と、
前記ダウンリンクデータの前記層の数量が3であり、前記ダウンリンクデータの前記アンテナポートがx、y、およびzであることを示す第6の値と、
前記ダウンリンクデータの前記層の数量が4であり、前記ダウンリンクデータの前記アンテナポートがx、y、z、およびwであることを示す第7の値と
を含む、請求項16に記載の通信装置。
【請求項１８】
前記セットは第8の値を含み、前記第8の値は予約されている、請求項17に記載の通信装置。
【請求項１９】
前記アンテナポートx、y、z、およびwは、復調基準信号のアンテナポートである、請求項16から18のいずれか一項に記載の通信装置。
【請求項２０】
前記プログラミング命令は、さらに、前記少なくとも1つのプロセッサに、前記トランシーバに、
スケジュールされたダウンリンクデータを送信させる
よう指示する、請求項16から19のいずれか一項に記載の通信装置。
【請求項２１】
ダウンリンク制御情報を送信するための方法であって、
1つのコードワードを使用してダウンリンクデータをスケジューリングするためのダウンリンク制御情報、DCIを生成するステップであり、前記DCIは6ビットの指示情報を含み、前記指示情報は、スケジュールされたダウンリンクデータのプリコーディングスキームを示し、前記指示情報の値は、セットに属し、前記セットは、
前記プリコーディングスキームが4層の送信ダイバーシティであることを示す第1の値と、
プリコーディングスキームが1層の送信であり、使用されるプリコーディング行列がそれぞれ0〜15に等しい送信プリコーディング行列指示(TPMI)によってあらかじめ定義されていることを示す第2の値〜第16の値と、
プリコーディングスキームが1層の送信であり、物理アップリンク共有チャネル(PUSCH)上で搬送される最新のPMIによって報告されたプリコーディングがプリコーディング行列として使用されることを示す第17の値と、
プリコーディングスキームが2層の送信であり、使用されるプリコーディング行列がそれぞれTPMI=0〜15によってあらかじめ定義されていることを示す第18の値〜第34の値と、
プリコーディングスキームが2層の送信であり、物理アップリンク共有チャネル、PUSCH上で搬送される最新のPMIによって報告されたプリコーディングがプリコーディング行列として使用されることを示す第35の値と、
プリコーディングスキームが3層の送信であり、使用されるプリコーディング行列は、それぞれTPMI=0〜15によってあらかじめ定義されていることを示す第36の値〜第51の値と、
プリコーディングスキームが3層の送信であり、PUSCH上で搬送される最新のPMIによって報告されたプリコーディングがプリコーディング行列として使用されることを示す第52の値と、
プリコーディングスキームが4層の送信であり、使用されるプリコーディング行列がそれぞれTPMI=0〜15によってあらかじめ定義されていることを示す第53の値〜第60の値と、
プリコーディングスキームが4層の送信であり、PUSCH上で搬送される最新のPMIによって報告されたプリコーディングがプリコーディング行列として使用されることを示す第61の値と
を含む、ステップと、
前記DCIを送信するステップと
を含む方法。
【請求項２２】
前記スケジュールされたダウンリンクデータを送信するステップ
をさらに含む請求項21に記載の方法。
【請求項２３】
ダウンリンク制御情報を受信するための方法であって、
1つのコードワードを使用してダウンリンクデータをスケジューリングするためのダウンリンク制御情報、DCIを受信するステップであり、前記DCIは6ビットの指示情報を含み、前記指示情報は、スケジュールされたダウンリンクデータのプリコーディングスキームを示し、前記指示情報の値は、セットに属し、前記セットは、
前記プリコーディングスキームが4層の送信ダイバーシティであることを示す第1の値と、
プリコーディングスキームが1層の送信であり、使用されるプリコーディング行列がそれぞれ0〜15に等しい送信プリコーディング行列指示(TPMI)によってあらかじめ定義されていることを示す第2の値〜第16の値と、
プリコーディングスキームが1層の送信であり、物理アップリンク共有チャネル(PUSCH)上で搬送される最新のPMIによって報告されたプリコーディングがプリコーディング行列として使用されることを示す第17の値と、
プリコーディングスキームが2層の送信であり、使用されるプリコーディング行列がそれぞれTPMI=0〜15によってあらかじめ定義されていることを示す第18の値〜第34の値と、
プリコーディングスキームが2層の送信であり、物理アップリンク共有チャネル、PUSCH上で搬送される最新のPMIによって報告されたプリコーディングがプリコーディング行列として使用されることを示す第35の値と、
プリコーディングスキームが3層の送信であり、使用されるプリコーディング行列は、それぞれTPMI=0〜15によってあらかじめ定義されていることを示す第36の値〜第51の値と、
プリコーディングスキームが3層の送信であり、PUSCH上で搬送される最新のPMIによって報告されたプリコーディングがプリコーディング行列として使用されることを示す第52の値と、
プリコーディングスキームが4層の送信であり、使用されるプリコーディング行列がそれぞれTPMI=0〜15によってあらかじめ定義されていることを示す第53の値〜第60の値と、
プリコーディングスキームが4層の送信であり、PUSCH上で搬送される最新のPMIによって報告されたプリコーディングがプリコーディング行列として使用されることを示す第61の値と
を含む、ステップと、
前記指示情報に基づいて、前記スケジュールされたダウンリンクデータのための前記プリコーディング行列を決定するステップと
を含む方法。
【請求項２４】
前記スケジュールされたダウンリンクデータを受信するステップ
をさらに含む請求項23に記載の方法。
【請求項２５】
少なくとも1つのプロセッサと、
前記少なくとも1つのプロセッサに結合され、前記少なくとも1つのプロセッサが実行するためのプログラミング命令を記憶するメモリとを含み、前記プログラミング命令は、前記少なくとも1つのプロセッサに、
1つのコードワードを使用してダウンリンクデータをスケジューリングするためのダウンリンク制御情報、DCIを生成することであり、前記DCIは6ビットの指示情報を含み、前記指示情報は、スケジュールされたダウンリンクデータのプリコーディングスキームを示し、前記指示情報の値は、セットに属し、前記セットは、
プリコーディングスキームが4層の送信ダイバーシティであることを示す第1の値と、
プリコーディングスキームが1層の送信であり、使用されるプリコーディング行列がそれぞれ0〜15に等しい送信プリコーディング行列指示(TPMI)によってあらかじめ定義されていることを示す第2の値〜第16の値と、
プリコーディングスキームが1層の送信であり、物理アップリンク共有チャネル(PUSCH)上で搬送される最新のPMIによって報告されたプリコーディングがプリコーディング行列として使用されることを示す第17の値と、
プリコーディングスキームが2層の送信であり、使用されるプリコーディング行列がそれぞれTPMI=0〜15によってあらかじめ定義されていることを示す第18の値〜第34の値と、
プリコーディングスキームが2層の送信であり、物理アップリンク共有チャネル、PUSCH上で搬送される最新のPMIによって報告されたプリコーディングがプリコーディング行列として使用されることを示す第35の値と、
プリコーディングスキームが3層の送信であり、使用されるプリコーディング行列は、それぞれTPMI=0〜15によってあらかじめ定義されていることを示す第36の値〜第51の値と、
プリコーディングスキームが3層の送信であり、PUSCH上で搬送される最新のPMIによって報告されたプリコーディングがプリコーディング行列として使用されることを示す第52の値と、
プリコーディングスキームが4層の送信であり、使用されるプリコーディング行列がそれぞれTPMI=0〜15によってあらかじめ定義されていることを示す第53の値〜第60の値と、
プリコーディングスキームが4層の送信であり、PUSCH上で搬送される最新のPMIによって報告されたプリコーディングがプリコーディング行列として使用されることを示す第61の値とを含む、生成することと、
トランシーバに、前記DCIを送信させることと
を行うよう指示する、
通信装置。
【請求項２６】
前記プログラミング命令は、さらに、前記少なくとも1つのプロセッサに、
前記トランシーバに、前記スケジュールされたダウンリンクデータを送信させる
よう指示する、請求項25に記載の通信装置。
【請求項２７】
少なくとも1つのプロセッサと、
前記少なくとも1つのプロセッサに結合され、前記少なくとも1つのプロセッサが実行するためのプログラミング命令を記憶するメモリとを含み、前記プログラミング命令は、前記少なくとも1つのプロセッサに、
トランシーバに、1つのコードワードを使用してダウンリンクデータをスケジューリングするためのダウンリンク制御情報、DCIを受信させることであり、前記DCIは6ビットの指示情報を含み、前記指示情報は、スケジュールされたダウンリンクデータのプリコーディングスキームを示し、前記指示情報の値は、セットに属し、前記セットは、
前記プリコーディングスキームが4層の送信ダイバーシティであることを示す第1の値と、
プリコーディングスキームが1層の送信であり、使用されるプリコーディング行列がそれぞれ0〜15に等しい送信プリコーディング行列指示(TPMI)によってあらかじめ定義されていることを示す第2の値〜第16の値と、
プリコーディングスキームが1層の送信であり、物理アップリンク共有チャネル(PUSCH)上で搬送される最新のPMIによって報告されたプリコーディングがプリコーディング行列として使用されることを示す第17の値と、
プリコーディングスキームが2層の送信であり、使用されるプリコーディング行列がそれぞれTPMI=0〜15によってあらかじめ定義されていることを示す第18の値〜第34の値と、
プリコーディングスキームが2層の送信であり、物理アップリンク共有チャネル、PUSCH上で搬送される最新のPMIによって報告されたプリコーディングがプリコーディング行列として使用されることを示す第35の値と、
プリコーディングスキームが3層の送信であり、使用されるプリコーディング行列は、それぞれTPMI=0〜15によってあらかじめ定義されていることを示す第36の値〜第51の値と、
プリコーディングスキームが3層の送信であり、PUSCH上で搬送される最新のPMIによって報告されたプリコーディングがプリコーディング行列として使用されることを示す第52の値と、
プリコーディングスキームが4層の送信であり、使用されるプリコーディング行列がそれぞれTPMI=0〜15によってあらかじめ定義されていることを示す第53の値〜第60の値と、
プリコーディングスキームが4層の送信であり、PUSCH上で搬送される最新のPMIによって報告されたプリコーディングがプリコーディング行列として使用されることを示す第61の値とを含む、受信させることと、
前記指示情報に基づいて、前記スケジュールされたダウンリンクデータのための前記プリコーディング行列を決定することと
を行うよう指示する、
通信装置。
【請求項２８】
前記プログラミング命令は、さらに、前記少なくとも1つのプロセッサに、
前記トランシーバに、前記スケジュールされたダウンリンクデータを受信させる
よう指示する、
請求項27に記載の通信装置。
【請求項２９】
請求項1から10および21から24のいずれか一項に記載の方法をコンピュータに実行させるプログラム。
【手続補正２】
【補正対象書類名】明細書
【補正対象項目名】０００４
【補正方法】変更
【補正の内容】
【０００４】
複数のトランスポート層のダウンリンク送信をサポートするために、LTEでは送信モード(Transmission Mode、TM)9が導入されており、最大8つのトランスポート層(layer)および最大8つのアンテナポート(port)のダウンリンク送信がサポートされている。送信層の数量は動的に変化する可能性があるので、送信されるUE固有の基準信号の量もそれに応じて変化する。したがって、UE固有の基準信号の構造は動的に変化する。基地局(Evolved NodeB、eNB)は、UEが現在のサブフレームで使用されているUE固有の基準信号の構造を学習し、PDSCHがどのようにUEにマッピングされているかを学習するように、対応するダウンリンク制御情報(Downlink Control Information、DCI)の送信層の数量をUEに通知する必要がある。具体的には、基地局は、DCIフォーマット2Cで、マルチレイヤ伝送によって必要とされる動的情報を送信してもよく、動的情報は、アンテナポート、スクランブリングアイデンティティ(Scrambling Identity、SCID)、および送信層の数量の指示情報を含む。複数のあらかじめ定義されたテーブルが、受信端と送信端の両方に記憶されている。基地局は、上位層シグナリングを使用して、UEが検索すべきテーブルを示し、次いで、DCIで搬送される1〜4ビットを使用して、テーブル内の特定のパラメータのグループを示し得る。理解できるように、複数のトランスポート層のダウンリンク伝送品質は、アンテナポート、スクランブリングコードID、および送信層の数量の指示情報のテーブルに依存する。現在、LTEシステムでは、Table 1(表1)、Table 2(表2)、Table 3(表3)に示されるように、様々なシナリオのために合計3つのテーブルが設計されている。
【手続補正３】
【補正対象書類名】明細書
【補正対象項目名】００３７
【補正方法】変更
【補正の内容】
【００３７】
スケジューリング手順:通常、基地局は、制御チャネル(物理アップリンク制御チャネル(Physical Uplink Control Channel, PUCCH)または短縮物理アップリンク制御チャネル(shortened PUCCH, sPUCCH)など)上で制御情報(DCIなど)を送信する。制御情報は、物理ダウンリンク共有チャネル(Physical Downlink Shared CHannel、PDSCH)または物理アップリンク共有チャネル(Physical Uplink Shared CHannel、PUSCH)上のトランスポートブロックTBに対応するハイブリッド自動再送要求(Hybrid Automatic Repeat Request、HARQ)プロセス番号およびスケジューリング情報を示す。スケジューリング情報は、リソース割振り情報(すなわち、使用された時間周波数リソース)などの制御情報、およびスケジューリングされたTBの変調およびコーディング方式(Modulation and Coding Scheme、MCS)インデックスを含む。
【手続補正４】
【補正対象書類名】明細書
【補正対象項目名】００７７
【補正方法】変更
【補正の内容】
【００７７】
言い換えれば、ステップ801で基地局によって生成されたDCIにおける指示情報、すなわち値が3であるとき、ダウンリンクデータ送信中にUEによって使用される層の数量が2であり、ダウンリンクデータ送信中にUEによって使用されるアンテナポートがxおよびzであることを示す。この場合、ステップ804では、UEは、Table 5(表5)およびDCI内の指示情報に基づいて、ダウンリンク送信中に基地局によって使用される層の数量およびアンテナポートを決定することができる。DCI内の指示情報が4であるとき、同様のケースが起こる。
【手続補正５】
【補正対象書類名】明細書
【補正対象項目名】００９７
【補正方法】変更
【補正の内容】
【００９７】
このようにアンテナポート間を区別することは、以下の利点がある。一方、基地局が時間周波数リソース上で1人のユーザのみをスケジューリングし、2層を使用して送信を行うことを予想するとき、アンテナポートxおよびy(たとえば、Table 4(表4)の値2)が基地局によって割り振られてもよい。この場合、アンテナポートzおよびwのRSを搬送するREがユーザのデータ送信のために解放されてもよく、それによって、リソースの利用効率が向上する。
【手続補正６】
【補正対象書類名】明細書
【補正対象項目名】００９８
【補正方法】変更
【補正の内容】
【００９８】
一方、基地局が時間周波数リソース上で2人のユーザをスケジューリングすることを予想し、各ユーザが2層を使用して送信を行い、2人のユーザが異なるアンテナポートを使用して互いに区別されるとき、基地局は、一方のユーザにはアンテナポートxおよびzを割り振り、他方のユーザにはアンテナポートyおよびwを割り振る(たとえば、Table 5(表5)の値3および4)。このようにして、各ユーザは、追加のシグナリング通知を必要とせずに、アンテナポートx、y、z、wのRSを搬送するすべてのREがRSによって占有されていること、言い換えれば、受信される必要があるダウンリンクデータがこれらのRE上で送信されないことを学習する。そのようなスキームでは、物理的シグナリングが低減されるか、またはダウンリンク制御情報のオーバーヘッドが低減される。
【国際調査報告】
2021503838.tif 000056
2021503838.tif 000057
2021503838.tif 000058
2021503838.tif 000059